(57)【要約】  複数のデジタル変調基準サブキャリアを含むラジオ信号をコヒーレントトラッキングする方法が提供される。この方法は、基準サブキャリア上で送信されるシンボルを受信し、基準サブキャリアのシンボルを既知の基準系列共役と結合して複数のサンプルを発生させ、これらのサンプルにメディアンフィルタリングを施してフィルタリング済みサンプルを発生させ、各基準サブキャリアについて複数の基準サブキャリアにわたりサンプルを平滑化して各サブキャリアのコヒーレント基準信号推定値を発生させるステップより成る。少なくとも１つのデジタル変調基準キャリアを含むラジオ信号をコヒーレントトラッキングする受信機も提供される。
2007511980.tif 000002
【特許請求の範囲】
【請求項１】
複数のデジタル変調基準サブキャリアを含むラジオ信号のコヒーレントトラッキング方法であって、
基準サブキャリア上で送信されるシンボルを受信し、
基準サブキャリアのシンボルを既知の基準系列共役と結合して複数のサンプルを発生させ、
これらのサンプルにメディアンフィルタリングを施してフィルタリング済みサンプルを発生させ、
複数の基準サブキャリアにわたり各基準サブキャリアのサンプルを平滑化して各サブキャリアのコヒーレント基準信号推定値を発生させるステップより成るコヒーレントラッキング方法。
【請求項２】
複数のアンテナ素子を用いてラジオ信号を受信するステップをさらに含み、過渡的なインパルスノイズがアンテナ素子の間の切換により生じる請求項１の方法。
【請求項３】
複数のサンプル及び各サブキャリアのコヒーレント基準信号推定値を用いてノイズ分散信号を発生させ、
ノイズ分散信号にフィルタリングを施してフィルタリング済みノイズ分散信号を発生させ、
ノイズ分散信号とフィルタリング済みノイズ分散信号との間で選択を行って選択されるノイズ分散信号を決定し、
複数の基準サブキャリアにわたり各基準サブキャリアの選択されたノイズ分散信号を平滑化して各サブキャリアの信号ノイズ分散推定値を発生させるステップをさらに含む請求項１の方法。
【請求項４】
複数のサンプル及び各サブキャリアのコヒーレント基準信号推定値を用いてノイズ分散信号を発生させるステップは、
複数のサンプルからコヒーレント基準信号推定値を減算してノイズサンプルを発生させ、
ノイズサンプルの大きさを自乗してノイズ分散信号を発生させるステップより成る請求項３の方法。
【請求項５】
ノイズ分散信号にフィルタリングを施してフィルタリング済みノイズ分散信号を発生させるステップは、
ノイズ分散信号をメディアンフィルタ及びさらに別のフィルタに順次通すことによりノイズ分散信号を周波数にわたって平滑化するステップをさらに含む請求項３の方法。
【請求項６】
さらに別のフィルタは無限インパルス応答フィルタまたは有限インパルス応答フィルタより成る請求項３の方法。
【請求項７】
ノイズ分散信号とフィルタリング済みノイズ分散信号との間で選択を行うステップの前にノイズ分散信号をスケーリングして選択されるノイズ分散信号を決定するステップをさらに含む請求項３の方法。
【請求項８】
少なくとも１つのデジタル変調キャリアを含むラジオ信号をコヒーレントトラッキングする受信機であって、
ラジオ信号を受信する入力と、
複数のデジタル変調基準サブキャリアを含むラジオ信号のコヒーレントトラッキングを、基準サブキャリア上で送信されるシンボルを受信し、基準サブキャリアシンボルを既知の基準系列共役と結合して複数のサンプルを発生させ、サンプルにメディアンフィルタリングを施してフィルタリング済みサンプルを発生させ、複数の基準サブキャリアにわたり各基準サブキャリアのサンプルを平滑化して各サブキャリアのコヒーレント基準信号推定値を発生させることにより行うプロセッサとより成る受信機。
【請求項９】
ラジオ信号を受信する複数のアンテナ素子をさらに有し、過渡的なインパルスノイズはアンテナ素子の間で切換を行うことにより発生する請求項８の受信機。
【請求項１０】
プロセッサはさらに、複数のサンプル及び各サブキャリアのコヒーレント基準信号推定値を用いてノイズ分散信号を発生させ、ノイズ分散信号にフィルタリングを施してフィルタリング済みノイズ分散信号を発生させ、ノイズ分散信号とフィルタリング済みノイズ分散信号との間で選択を行って選択されるノイズ分散信号を決定し、複数の基準サブキャリアにわたり各基準サブキャリアの選択されたノイズ分散信号を平滑化して各サブキャリアの信号ノイズ分散推定値を発生させる請求項８の受信機。
【請求項１１】
プロセッサはさらに、複数のサンプルからコヒーレント基準信号推定値を減算してノイズサンプルを発生させ、ノイズサンプルの大きさを自乗してノイズ分散信号を発生させる請求項１０の受信機。
【請求項１２】
プロセッサはさらに、ノイズ分散信号をメディアンフィルタ及びさらに別のフィルタに順次通す請求項１０の受信機。
【請求項１３】
さらに別のフィルタは無限インパルス応答フィルタまたは有限インパルス応答フィルタより成る請求項１０の受信機。
【請求項１４】
プロセッサは、ノイズ分散信号とフィルタリング済みノイズ分散信号との間で選択を行うステップの前にノイズ分散信号をスケーリングして選択されるノイズ分散信号を決定する請求項１０の受信機。
【請求項１５】
少なくともデジタル変調基準キャリアを含むラジオ信号のコヒーレントトラッキング方法であって、
基準キャリアを復調して複素コヒーレント基準利得を発生させ、
複素コヒーレント基準利得に影響を与える過渡現象を検出し、
過渡現象の近くの複素コヒーレント基準利得を調整して調整済み複素コヒーレント基準利得を発生させるステップより成るコヒーレントトラッキング方法。
【請求項１６】
複数のアンテナ素子を用いてラジオ信号を受信するステップをさらに含み、過渡的なインパルスノイズがアンテナ素子の間の切換により生じる請求項１５の方法。
【請求項１７】
過渡現象はインパルスノイズである請求項１５の方法。
【請求項１８】
過渡現象の近くの複素コヒーレント基準利得を調整するステップは、
過渡現象の近くの複素コヒーレント基準利得の代わりに以前のまたは将来の複素コヒーレント基準利得を用いるステップより成るステップ１５の方法。
【請求項１９】
過渡現象の近くの複素コヒーレント基準利得を調整するステップは、
複素コヒーレント基準利得にフィルタリングを施して平滑化された複素コヒーレント基準利得を発生させ、
平滑化された複素コヒーレント基準利得を過渡現象に最も近い複素コヒーレント基準利得の値を無視するように処理し、過渡現象に最も近い複素コヒーレント基準利得の値をフィルタにより影響を受けない複素コヒーレント基準利得に最も近い値に置き換えるステップより成る請求項１５の方法。
【請求項２０】
ラジオ信号は複数の基準サブキャリアより成り、過渡現象の近くの複素コヒーレント基準利得は各基準サブキャリアについて調整される請求項１５の方法。
【請求項２１】
複素コヒーレント基準利得に影響を与える過渡現象を検出するステップは、
複数の基準サブキャリアの複素コヒーレント基準利得を処理し、
複素コヒーレント基準利得を全ての基準サブキャリアにわたり集合させて各ＯＦＤＭシンボルにつき１つの複合コヒーレントチャンネル基準信号を発生させるステップより成る請求項１５の方法。
【請求項２２】
複素コヒーレント基準利得に影響を与える過渡現象を検出するステップは、
複数の複合コヒーレントチャンネル基準信号の差の大きさを算定し、
その大きさが局所的なピークであるか否か判定し、
その大きさが局所的なピークであればその大きさを差の大きさの和により逆スケーリングするステップより成る請求項１５の方法。
【請求項２３】
複素コヒーレント基準利得に影響を与える過渡現象を検出するステップは、
複素コヒーレント基準利得からサンプル系列ｘnを計算し、
サンプルｘn＋１とｘn−１の間の差（diffsqn）の自乗を計算し、
（diffsqn＞＝diffsqn−１）または（diffsqn＞＝diffsqn＋１）であればピーク検出変数を１に等しい値に設定し、そうでなければ０に設定し、
diffsqn／|ｘn＋１|2+|ｘn−１|2が所定のしきい値より大きければ過渡現象の存在を指示するステップより成る請求項１５の方法。
【請求項２４】
過渡現象の近くの複素コヒーレント基準利得を調整するステップは、
過渡現象が検出された所のシンボルを含む過渡現象に近い複素コヒーレント基準利得の値を無視し、
無視されたαの値をα推定に用いるフィルタによる影響を受けないαの最も近い値で置き換えるステップより成る請求項１５の方法。
【請求項２５】
過渡現象の近くの複素コヒーレント基準利得を調整するステップは、
複素コヒーレント基準利得の毀損された値（α）が現在のシンボルの前方の３シンボル内で検出されると、αの現在値を用いる代わりに過渡現象の前方４個目のシンボルのαの値（αn−４）を用い、
複素コヒーレント基準利得の毀損された値（α）が以前の３シンボル内で検出されると、αの現在値を用いる代わりに過渡現象の後方４個目のシンボルのαの値（αn＋４）を用い、
複素コヒーレント基準利得の毀損された値（α）が現在検出されたシンボルの位置にあれば、過渡現象の両側の±４個目のシンボルのサンプルのαの平均値（αn−４+αn＋４/2）を用い、
複素コヒーレント基準利得の毀損された値（α）が検出されなければ,αの現在入力値を用いるステップより成る請求項１５の方法。
【請求項２６】
少なくとも１つのデジタル変調キャリアを含むラジオ信号をコヒーレントトラッキングする受信機であって、
ラジオ信号を受信する入力と、
基準キャリアを復調して複素コヒーレント基準利得を発生させ、複素コヒーレント基準利得に影響を与える過渡現象を検出し、過渡現象の近くの複素コヒーレント基準利得を調整して調整済み複素コヒーレント基準利得を発生させるプロセッサとより成る受信機。
【請求項２７】
ラジオ信号を受信する複数のアンテナ素子をさらに有し、過渡現象はアンテナ素子の間で切換を行うことにより発生する請求項２６の受信機。
【請求項２８】
過渡現象はインパルスノイズである請求項２６の受信機。
【請求項２９】
プロセッサは過渡現象の近くの複素コヒーレント基準利得の代わりに以前のまたは将来の複素コヒーレント基準利得を用いる請求項２６の受信機。
【請求項３０】
プロセッサは、複素コヒーレント基準利得にフィルタリングを施して平滑化された複素コヒーレント基準利得を発生させ、平滑化された複素コヒーレント基準利得を過渡現象に最も近い複素コヒーレント基準利得の値を無視するように処理し、過渡現象に最も近い複素コヒーレント基準利得の値をフィルタにより影響を受けない複素コヒーレント基準利得に最も近い値に置き換える請求項２６の受信機。
【請求項３１】
ラジオ信号は複数の基準サブキャリアより成り、過渡現象の近くの複素コヒーレント基準利得は各基準サブキャリアについて調整される請求項２６の受信機。
【請求項３２】
プロセッサは、複数の基準サブキャリアの複素コヒーレント基準利得を処理し、複素コヒーレント基準利得を全ての基準サブキャリアにわたり集合させて各ＯＦＤＭシンボルにつき１つの複合コヒーレントチャンネル基準信号を発生させる請求項２６の受信機。
【請求項３３】
プロセッサは、複数の複合コヒーレントチャンネル基準信号の差の大きさを算定し、その大きさが局所的なピークであるか否か判定し、その大きさが局所的なピークであればその大きさを差の大きさの和により逆スケーリングする請求項２６の受信機。
【請求項３４】
プロセッサは、複素コヒーレント基準利得からサンプル系列ｘnを計算し、サンプルｘn＋１とｘn−１の間の差（diffsqn）の自乗を計算し、（diffsqn＞＝diffsqn−１）または（diffsqn＞＝diffsqn＋１）であればピーク検出変数を１に等しい値に設定し、そうでなければ０に設定し、diffsqn／|ｘn＋１|2+|ｘn−１|2が所定のしきい値より大きければ過渡現象の存在を指示する請求項２６の受信機。
【請求項３５】
プロセッサは、過渡現象が検出された所のシンボルを含む過渡現象に近い複素コヒーレント基準利得の値を無視し、無視されたαの値をα推定に用いるフィルタによる影響を受けないαの最も近い値で置き換える請求項２６の受信機。
【請求項３６】
プロセッサは、複素コヒーレント基準利得の毀損された値（α）が現在のシンボルの前方の３シンボル内で検出されると、αの現在値を用いる代わりに過渡現象の前方４個目のシンボルのαの値（αn−４）を用い、複素コヒーレント基準利得の毀損された値（α）が以前の３シンボル内で検出されると、αの現在値を用いる代わりに過渡現象の後方４個目のシンボルのαの値（αn＋４）を用い、複素コヒーレント基準利得の毀損された値（α）が現在検出されたシンボルの位置にあれば、過渡現象の両側の±４個目のシンボルのサンプルのαの平均値（αn−４+αn＋４/2）を用い、複素コヒーレント基準利得の毀損された値（α）が検出されなければ,αの現在入力値を用いる請求項２６の受信機。
【請求項３７】
少なくとも１つのデジタル変調キャリアを含むラジオ信号をコヒーレントトラッキングする受信機であって、
ラジオ信号を受信する入力と、
基準キャリアを復調して複素コヒーレント基準利得を発生させ、複素コヒーレント基準利得に影響を与える過渡現象を検出し、過渡現象の近くの複素コヒーレント基準利得を調整して調整済み複素コヒーレント基準利得を発生させる手段とより成る受信機。
【請求項３８】
ラジオ信号を受信する複数のアンテナ素子をさらに有し、過渡現象はアンテナ素子の間で切換を行うことにより発生する請求項３７の受信機。
【請求項３９】
過渡現象はインパルスノイズである請求項３７の受信機。
【請求項４０】
ノイズがガウスのようなノイズサンプルの間にインパルスのようなサンプルを含むことがある時ラジオ信号中のシンボルのノイズ分散を推定する方法であって、
入力サンプルとコヒーレント基準サンプルを加算してエラーサンプルを発生させ、
エラーサンプルの自乗を計算し、
ガウスのようなノイズサンプルの自乗とインパルスノイズのサンプルの自乗を分離し、
エラーサンプルの自乗に非線形フィルタリングを施して長期間平均したガウスのようなノイズの分散と短期インパルスノイズの分散の和を表すノイズ分散推定値を発生させるステップより成る推定方法。
【請求項４１】
各ノイズサンプル自乗値を現在の平均ノイズ分散推定値の倍数と比較することにより各ノイズサンプルの自乗がインパルスのようであるか否かを判定し、
ノイズサンプルの自乗がインパルスのようでないと判定されると、ノイズサンプルの自乗を長期間平均したガウスのようなノイズの分散を推定するために使用するフィルタに入力し、
ノイズサンプルがインパルスのようであると判定されれば、フィルタへのノイズサンプルの自乗を減少させて長期間のガウスのようなノイズの分散推定値の過大評価を防止するステップを含む請求項４０の方法。
【請求項４２】
減少したノイズサンプルの自乗の一部を含む過大なノイズ値を発生させ、
過大なノイズ値をガウスのようなノイズの分散推定値に加算して長期間平均したガウスのようなノイズの分散と短期インパルスノイズの分散の和を表す複合ノイズ分散を発生させるステップを含む請求項４０の方法。
【発明の詳細な説明】
【技術分野】
【０００１】
本発明はラジオ信号の受信方法及び装置に係り、さらに詳細には、ダイバーシティアンテナ切換装置を含むかかる方法及び装置に係る。
【背景技術】
【０００２】
アイビキュイティ・デジタル・コーポレイションのＨＤラジオ方式は、既存のアナログ放送フォーマットより優れたデジタル品質の音声を提供するように設計されている。このＨＤ ラジオ方式は、現在のアナログ振幅変調（ＡＭ）及び周波数変調（ＦＭ）ラジオから完全デジタルのインバンド・オンチャンネル（ＩＢＯＣ）方式へのスムースな移行を可能にする。この方式は、既存の中波（ＭＦ）及び超短波（ＶＨＦ）ラジオバンドで地上の送信機からモバイル、携帯及び固定受信機へデジタルオーディオ及びデータサービスを提供する。放送事業者は、アナログＡＭ及びＦＭ信号を、新しい、高品質で、ロバスト性の高いデジタル信号と同時に引き続き送信することができるため、放送事業者とそれらの聴取者は現在の周波数割当てを維持しながらアナログラジオからデジタルラジオへの転換を行える。
【０００３】
インバンド・オンチャンネル（ＩＢＯＣ）ＨＤラジオは、放送チャンネル内にＯＦＤＭサブキャリアと基準サブキャリアを含む複合信号を用いて送信される。ＩＢＯＣ ＨＤラジオ受信機では、ＦＭ ＩＢＯＣ信号のデジタル部分にコヒーレント復調が使用される。チャンネル状態情報（ＣＳＩ）の捕捉、トラッキング、推定並びにコヒーレント動作のための基準サブキャリアの多数の役割は、米国特許第６，５４９，５４４号に記載されている。この米国特許第６，５４９，５４４号に記載された方式は、ＦＭ放送バンド（８８−１０８ＭＨｚ）においてハイウェイ速度の車両に使用される受信機に配慮したフェージング帯域幅で動作するように設計されている。種々のコヒーレントトラッキングパラメータは、最大予想ドップラー帯域幅（ほぼ１３Ｈｚ）に近似する帯域幅を有するフィルタを用いて推定される。固定アンテナでは、トラッキングアルゴリズムへの入力信号の関連トラッキング統計量はドップラー帯域幅より大きくないレートで変化すると想定される。
【０００４】
ＩＢＯＣ ＨＤラジオ受信機は、ダイバーシティアンテナ切換装置と組み合わせて用いることができる。ダイバーシティアンテナ切換装置は通常、車両の前方または後方の窓ガラスの内部に配置される多数のアンテナ素子（例えば、２乃至４個）を有する。これらのアンテナ素子はダイバーシティ切換モジュールに接続され、このモジュールは素子のうちの１個または素子の組み合わせを動的に選択してＲＦアンテナ信号を受信機へ提供する。ダイバーシティ切換モジュールはまた、受信機からの信号をモニターして切換を何時行うかを決定する。典型的なモジュールの「ブラインド切換」アルゴリズムは、受信機からの中間周波数（ＩＦ）信号の平均レベルに応じて切換しきい値を決定する。ＩＦ信号がしきい値以下に減少すると、スイッチは良好な信号の発生を期待して別の素子を盲目的に選択する。新しい信号がしきい値より高ければスイッチは新しい素子の選択を維持する。そうでなければ、ダイバーシティ切換モジュールは最小休止時間の後に別の素子を選択する。このプロセスはスイッチが継続的にしきい値を更新しながら継続される。かかるダイバーシティ切換アンテナ装置の一例は、２００３年１０月１４日付け米国特許第６，６３３，２５８号（発明者:H. Lindenmeier他、発明の名称: ”Diversity System for Receiving Digital Terrestrial and/or Satellite Radio Signals for Motor Vehicles”）に記載されている。
【０００５】
ダイバーシティ切換アルゴリズムの動作を裏付ける理論は、種々のアンテナ素子の瞬時的フェージング状態はそれぞれ異なるということに基づく。マルチパスフェージングにより、受信アンテナ素子にそれぞれ異なる時間に到達する信号の多数の通路（マルチパス）が加算される。例えば、１００ＭＨｚの波長はほぼ１０フィートである。２つの信号パスの到達時間差が一波長、即ち１０ナノ秒（伝播差が１０フィート）である場合、それらの信号は同相で加算される。同様に、２つの通路のアンテナ素子への到達時間差が半波長である場合、逆相の信号が加算されて相殺される。この加算または相殺は移動中の車両において動的に行われ、ドップラー帯域幅はほぼＢＷ＝ｆc＊ｓ／ｃ（ｆcはキャリア周波数、ｓは車両速度及びｃは光の速度）である。ドップラー帯域幅は典型的なハイウェイでの速度で１０Ｈｚである。従って、１つのアンテナ素子の信号ベクトル（大きさ／位相の複素バージョン）はこの例ではほぼ１０Ｈｚのレートで変化する。従って、基準信号及びチャンネル状態のコヒーレントトラッキングは、コヒーレント信号トラッキングを維持するために１０Ｈｚの帯域幅を配慮する必要がある。
【０００６】
車両の典型的なアンテナ素子は、どちらかといえば無関係の瞬時フェージング状態（素子の間隔及び多数のパスの方向に依存する）を経験する。例えば、１つの素子がフェージング０の状態にある時、別の素子のフェージングは最大である。幾つかの素子を備えた車両では、ある素子がフェージング状態にある（信号の相殺）時に他の一つのアンテナ素子が十分に大きい信号を受信中である可能性が高い。多素子ＦＭダイバーシティアンテナ装置の典型的な素子の瞬時フェージング状態はどちらかと言えば相関しているが、その相関関係は性能を向上させる所望のダイバーシティ利得が得られるほど少ないものである。
【０００７】
ＩＢＯＣ ＨＤラジオ受信機の一例のコヒーレントデジタルモデムは、ドップラー帯域幅が１３Ｈｚより小さい車両速度で信号フェージングをトラッキングするよう設計されている。車両の窓にダイバーシティ切換アンテナを用いると、デジタル信号をコヒーレントトラッキングするに当たり厳しい過渡現象が発生してデジタル性能が低下する。ダイナミックなアンテナの切換により生じる過渡現象は以前の受信機モデムではトラッキングできず、デジタルカバレーが劣化する。
【０００８】
本発明は、ダイバーシティアンテナ切換装置の切換による過渡現象に配慮したコヒーレントトラッキング法を提供する。本発明はまた、ブラインドダイバーシティアンテナ切換装置と共に自律的に使用されるコヒーレントトラッキングアルゴリズムを改良するものである。これらの改良により、隣接のＦＭアナログ干渉波からのようなインパルスノイズまたは非ガウスノイズによる劣化が軽減する。加えて、高速自動利得制御（ＡＧＣ）を含む受信機の性能が改善される。
【発明の概要】
【０００９】
複数のデジタル変調基準サブキャリアを含むラジオ信号をコヒーレントトラッキングする方法が提供される。この方法は、基準サブキャリア上で送信されるシンボルを受信し、基準サブキャリアのシンボルを既知の基準系列共役と結合して複数のサンプルを発生させ、これらのサンプルにメディアンフィルタリングを施してフィルタリング済みサンプルを発生させ、複数の基準サブキャリアにわたり各基準サブキャリアのサンプルを平滑化して各サブキャリアのコヒーレント基準信号推定値を発生させるステップより成る。
【００１０】
本発明は、別の局面において、少なくとも１つのデジタル変調基準キャリアを含むラジオ信号をコヒーレントトラッキングする受信機を包含する。この受信機は、ラジオ信号を受信する入力と、複数のデジタル変調基準サブキャリアを含むラジオ信号のコヒーレントトラッキングを、基準サブキャリア上で送信されるシンボルを受信し、基準サブキャリアシンボルを既知の基準系列共役と結合して複数のサンプルを発生させ、サンプルにメディアンフィルタリングを施してフィルタリング済みサンプルを発生させ、複数の基準サブキャリアにわたり各基準サブキャリアのサンプルを平滑化して各サブキャリアのコヒーレント基準信号推定値を発生させることにより行うプロセッサとより成る。
【００１１】
本発明はまた、少なくともデジタル変調基準キャリアを含むラジオ信号のコヒーレントトラッキング方法であって、基準キャリアを復調して複素コヒーレント基準利得を発生させ、複素コヒーレント基準利得に影響を与える過渡現象を検出し、過渡現象の近くの複素コヒーレント基準利得を調整して調整済み複素コヒーレント基準利得を発生させるステップより成るコヒーレントトラッキング方法を包含する。
【００１２】
本発明はさらに、少なくとも１つのデジタル変調キャリアを含むラジオ信号をコヒーレントトラッキングする受信機であって、ラジオ信号を受信する入力と、基準キャリアを復調して複素コヒーレント基準利得を発生させ、複素コヒーレント基準利得に影響を与える過渡現象を検出し、過渡現象の近くの複素コヒーレント基準利得を調整して調整済み複素コヒーレント基準利得を発生させるプロセッサとより成る受信機を包含する。
【００１３】
本発明は、さらに別の局面において、ノイズがガウスのようなノイズサンプルの間にインパルスのようなインパルスを含むことがある時ラジオ信号中のシンボルのノイズ分散を推定する方法であって、入力サンプルとコヒーレント基準サンプルを加算してエラーサンプルを発生させ、エラーサンプルの自乗を計算し、ガウスのようなノイズサンプルの自乗とインパルスノイズのサンプルの自乗を分離し、エラーサンプルの自乗に非線形フィルタリングを施して長期間平均したガウスのようなノイズの分散と短期インパルスノイズの分散の和を表すノイズ分散推定値を発生させるステップより成る推定方法を提供する。
【実施例】
【００１４】
図１は、本発明を適用可能なハイブリッドＦＭ ＩＢＯＣ波形５０のスペクトルを示す概略図である。この波形は放送チャンネル５４の中央に位置するアナログ変調信号５２と、上側波帯５８の第１の複数の等間隔直交周波数分割多重化サブキャリア５６と、下側波帯６２の第２の複数の等間隔直交周波数分割多重化サブキャリア６０とを含む。デジタル変調サブキャリアは、所要チャンネル信号マスクに従うようにアナログ変調キャリアより低い電力レベルで放送される。デジタル変調サブキャリアは分割されて区分を形成するが、種々のサブキャリアを基準サブキャリアと称す。１つの周波数区分は、１８個のデータサブキャリアと１個の基準サブキャリアを含む１９個のＯＦＤＭサブキャリアのクループである。
【００１５】
ハイブリッド波形は、アナログＦＭ変調信号にデジタル変調プライマリ・メイン・サブキャリアを加えたものである。デジタル信号はハイブリッド波形のアナログＦＭ信号の両側にあるプライマリ・メイン（ＰＭ）側波帯において送信される。各側波帯の電力レベルはアナログＦＭ信号の全電力よりもかなり低い。アナログ信号はモノラルまたはステレオであり、下位通信許可権（ＳＣＡ）チャンネルを含んでもよい。
【００１６】
サブキャリアは等間隔の周波数位置にある。サブキャリアの位置に−５４６乃至＋５４６の番号を付す。図１の波形において、サブキャリアは＋３５６から＋５４６及び−３５６から−５４６の位置にある。この波形は通常、全デジタル波形への変換前の初期の移行時に使用される。
【００１７】
各プライマリ・メイン側波帯は１０個の周波数区分より成り、これらはサブキャリア３５６乃至５４５または−３５６乃至−５４５の間に割り当てられる。プライマリ・メイン側波帯に含まれるサブキャリア５４６及び−５４６はさらに別の基準サブキャリアである。各サブキャリアの振幅は振幅スケール係数によりスケーリング可能である。
【００１８】
ハイブリッド波形において、デジタル信号はアナログＦＭ信号の両側のプライマリ・メイン（ＰＭ）側波帯において送信される。各側波帯の電力レベルはアナログＦＭ信号の全電力よりもかなり小さい。アナログ信号はモノラルまたはステレオでよく、下位通信許可権（ＳＣＡ）チャンネルを含む。
【００１９】
図２は本発明を適用可能な拡張ハイブリッド波形のスペクトルを示す概略図である。拡張ハイブリッド波形では、デジタル容量を増加するためにハイブリッド側波帯の帯域幅がアナログＦＭ信号の方へ拡張することができる。各プライマリ・メイン側波帯の内側端縁部に割り当てられたこの別のスペクトルはプライマリ拡張（ＰＸ）側波帯と呼ぶ。
【００２０】
この拡張ハイブリッド波形は、図２に示すように、ハイブリッド波形にあるプライマリ・メイン側波帯にプライマリ拡張側波帯を付加することにより生じる。サービスモードに応じて、各プライマリ・メイン側波帯の内側端縁部に１個、２個または４個の周波数区分を付加することができる。
【００２１】
図２は、拡張ハイブリッドＦＭ ＩＢＯＣ波形７０の概略図である。拡張ハイブリッド波形は、ハイブリッド波形のプライマリ・メイン側波帯にプライマリ拡張側波帯７２、７４を付加することにより生じる。サービスモードに応じて、各プライマリ・メイン側波帯の内側端縁部に１個、２個または４個の周波数を付加することが可能である。
【００２２】
拡張ハイブリッド波形は、アナログＦＭ信号にデジタル変調プライマリ・メイン・サブキャリア（サブキャリ＋３５６乃至＋５４６及び−３５６乃至−５４６）と、プライマリ拡張サブキャリアの一部または全部（サブキャリア＋２８０乃至＋３５５及び−２８０乃至−３５５）を付加したものである。この波形は通常、全デジタル波形への変換前の初期の移行時に使用される。
【００２３】
各プライマリ・メイン側波帯は、１０個の周波数区分と、サブキャリア３５６乃至５４６または−３５６乃至−５４６にまたがる別の基準サブキャリアを含む。上側のプライマリ拡張側波帯は、サブキャリア３３７乃至３５５（１つの周波数区分）、３１８乃至３５５（２つの周波数区分）または２８０乃至３５５（４つの周波数区分）を含む。下側のプライマリ拡張側波帯は、サブキャリア−３３７乃至−３５５（１つの周波数区分）、−３１８乃至−３５５（２つの周波数区分）または−２８０乃至−３５５（４つの周波数区分）を含む。各サブキャリアの振幅は振幅スケール係数によりスケーリング可能である。
【００２４】
図３は、本発明を適用可能な全デジタル波形のスペクトルを示す概略図である。図３は全デジタルＦＭ ＩＢＯＣ波形８０の概略図である。全デジタル波形は、アナログ信号を無効にし、プライマリ・デジタル側波帯８２、８４の帯域幅を完全に拡張し、アナログ信号が明け渡したスペクトルに低電力のセカンダリ側波帯８６、８８を付加することにより構成される。図示の実施例の全デジタル波形は、サブキャリア位置−５４６乃至＋５４６にデジタル変調サブキャリアを含むが、アナログＦＭ信号はない。
【００２５】
１０個のメイン周波数区分の他に、全デジタル波形の各プライマリ側波帯には全部で４個の拡張周波数区分が存在する。各セカンダリ側波帯は、１０個のセカンダリ・メイン（ＳＭ）周波数区分と、４個のセカンダリ拡張（ＳＸ）周波数区分を含む。しかしながら、プライマリ側波帯とは異なり、セカンダリ・メイン周波数区分はチャンネルの中央近くにマッピングされており、拡張周波数区分は中央から離れた所にある。
【００２６】
各セカンダリ側波帯はまた、１２個のＯＦＤＭサブキャリア及び基準サブキャリア２７９及び−２７９を含む小さなセカンダリ保護（ＳＰ）領域９０、９２をサポートする。これらの側波帯は、アナログまたはデジタル干渉波による影響を受ける可能性が最も少ないスペクトル領域に位置するため「保護」側波帯と呼ばれる。別の基準サブキャリアがチャンネルの中心（０）に配置されている。ＳＰ領域は周波数区分を含まないため周波数区分の順番とは無関係である。
【００２７】
各セカンダリ・メイン側波帯は、サブキャリア１乃至１９０または−１乃至−１９０にまたがる。上側セカンダリ拡張側波帯はサブキャリア１９１乃至２６６を含み、上側セカンダリ保護側波帯はサブキャリア２６７乃至２７８に別の基準サブキャリア２７９に付加したものを含む。下側セカンダリ拡張側波帯はサブキャリア−１９１乃至−２６６を含み、下側セカンダリ保護側波帯はサブキャリア−２６７乃至−２７８に加えて別の基準サブキャリア２７９を含む。全デジタルのスペクトルの周波数の広がりは全部で３６９，８０３Ｈｚである。各サブキャリアの振幅は振幅スケール係数によりスケーリング可能である。セカンダリ側波帯の振幅スケール係数はユーザーにより選択可能である。セカンダリ側波帯に適用するために４つのうちの任意の１つを選択できる。
【００２８】
これら３種類の波形は全て現在割り当てられているスペクトル放射マスクに合致する。デジタル信号は直交周波数分割多重化方式（ＯＦＤＭ）により変調される。ＯＦＤＭはデータ流により同時に送信される多数の直交サブキャリアを変調する並列変調方式である。ＯＦＤＭは本来的に柔軟性があり、論理チャンネルの種々のサブキャリア群へのマッピングが容易である。
【００２９】
ＯＦＤＭサブキャリアは複数の周波数区分に編成される。図４は周波数区分配列の第１のタイプを示す概略図である。図５は周波数区分配列の第２のタイプを示す概略図である。各周波数区分は、図４（配列Ａ）及び図５（配列Ｂ）に示すように１８個のデータサブキャリアと１個の基準サブキャリアより成る。基準サブキャリア（配列ＡまたはＢ）の位置はスペクトル内のその周波数区分の位置により異なる。
【００３０】
信号処理はデジタル音声放送システムの送信機においてプロトコルレイヤーで実行される。制御及び情報信号は放送側でＩＢＯＣ信号を発生するためにプロトコルスタックの種々のレイヤーを通る。受信機は対応のプロトコルレイヤーの信号を処理する。
【００３１】
メインプログラムサービスは、アナログ送信及びデジタル送信の両方において既存のアナログラジオプログラミングフォーマットを保持する。さらに、メインプログラムサービスは音声プログラミングと直接相関するデジタルデータを含むことができる。
【００３２】
プロトコルデータユニット（ＰＤＡ）は対等なレイヤー間で（例えば、送信側のレイヤーｎから受信側のレイヤーｎへ）交換される。プロトコルスタックの任意のレイヤーｎの基本的な目的は、送信機のレイヤーｎ＋１により提供されるＰＤＵを受信システム上の対等なレイヤーｎ＋１へ運ぶことである。レイヤーｎ＋１のＰＤＵペイロードは、レイヤーｎ＋１のプロトコル制御情報（ＰＣＩ）及びその上のレイヤー（ｎ＋２）のＰＤＵより成る。
【００３３】
この考え方をさらによく理解するために、送信側のレイヤーｎ＋１からｎへの情報の流れを考察する。レイヤーｎ＋１のＰＤＵはレイヤーｎのサービスにより特定されるようにパッケージにする必要がある。そのパッケージをサービスデータユニット、ＳＤＵと呼ぶ。レイヤーｎのＳＤＵは、レイヤーｎ＋１のＰＤＵに、レイヤーｎのＳＤＵ制御情報（ＳＣＩ）を加えたものである。レイヤーｎ＋１はレイヤーｎのＳＤＵを発生させ、それをレイヤーｎのサービスアクセスポイントを介してレイヤーｎへ送る。
【００３４】
レイヤーｎは、ＳＤＵを受けると、レイヤーｎ＋１のＰＤＵと、ＳＣＩの受信情報を含むことがあるそれ自身のプロトコル制御情報（ＳＣＩ）を取って、レイヤーｎのＰＤＵを作成する。その後、レイヤーｎのＰＤＵは受信システムの対等なレイヤーに送られるが、そこでのプロセスは情報がプロトコルレイヤーを上昇する時は本質的に逆である。従って、各レイヤーは対等なＰＤＵを抽出し、ＳＤＵの形の残りの情報を次のレイヤーに送る。
【００３５】
レイヤーＬ１は、信号がアンテナを介して送信するために準備される物理的レイヤーを表す。レイヤーＬ２はレイヤーＬ１に結合されている。各周波数区分について、データサブキャリアｄ１乃至ｄ１８はＬ２のＰＤＵを運ぶが、基準サブキャリアはＬ１のシステム制御信号を運ぶ。サブキャリアは中心周波数の０から割当てられたチャンネル周波数の各端部における±５４６まで番号が付けられている。
【００３６】
各周波数区分内にある基準サブキャリアとは別に、サービスモードに応じて最大５個の別の基準サブキャリアがサブキャリア番号−５４６、−２７９、０、２７９及び５４６の所に挿入されている。その結果、基準サブキャリアはスペクトル全体にわたって規則的に分布するようになる。表示の便宜のために、各基準サブキャリアには０と６０の間で唯一無二の番号が割り当てられる。図６には下側波帯の全ての基準サブキャリアが示されている。図７には上側波帯の全ての基準サブキャリアが示されている。これらの図は基準サブキャリアの番号とＯＦＤＭサブキャリアの番号の間の関係を示す。
【００３７】
図１−３は、ある特定の重要なＯＦＤＭサブキャリアのサブキャリア番号及び中心周波数を示す。サブキャリアの中心周波数はそのサブキャリア番号にＯＦＤＭサブキャリアの間隔Δｆを乗算することにより計算できる。サブキャリア０の中心は０Ｈｚにある。これに関連して、中心周波数は無線周波数（ＲＦ）割当チャンネルの中心である。例えば、プライマリ・メイン上側波帯の境界は、中心周波数がそれぞれ１２９，３６１Ｈｚ及び１９８，４０２Ｈｚであるサブキャリア３５６及び５４６である。プライマリ・メイン側波帯の周波数スパンは６９，０４１Ｈｚ（１９８，４０２−１２９，３６１）である。
【００３８】
図８はシステム制御処理部のブロック図である。システム制御チャンネル（ＳＣＣＨ）は基準サブキャリアのフィールドを用いて制御及びステータス情報を運ぶ。さらに、「逆」と表示される数ビットのシステム制御データ系列は、プライマリ逆制御データインターフェイス及びセカンダリ逆制御データインターフェイスを介してＬ１の上方のレイヤーから制御される。サービスモードは論理チャンネルの許容可能な全ての構成を決定する。
【００３９】
図８に示すように、上方のレイヤーの指示の下で、システム制御処理部は、各基準サブキャリアに向けられる一連のビット（システム制御データ系列）を編成し、差動符号化する。ＯＦＤＭスペクトル全体にわたり最大で６１個の基準サブキャリア０乃至６０が分布している。
【００４０】
図８に示すように、システム制御処理部はレイヤー２からＳＣＣＨを介して入力を受ける。システム制御入力を用いることにより、システム制御データ系列アセンブラ１００は６１個の基準サブキャリアの各々についてＴbにわたりシステム制御ビット系列を作成する。差動符号化器１０２はその後、各ビット系列を時間について差動符号化する。その結果得られる出力は大きさが固定された３２×６１の行列Ｒである。Ｒの行はＴbについてのＯＦＤＭのシンボルの数に対応し、列がＯＦＤＭシンボルあたりの活動状態にある基準サブキャリアの最大数に相当する。行列ＲはレートＲbでのＯＦＤＭサブキャリアのマッピングに利用可能である。さらに、システム制御処理部はＳＣＣＨを介してレートＲbでレイヤー２へＬ１のブロックカウントを与える。
【００４１】
システム制御データ系列アセンブラは、レイヤー２から全制御情報を収集し、一部のレイヤー制御情報と共に６１個の３２ビットシステム制御データ系列の行列ｒを作成する。ｒの行には番号０乃至３１が、列には０乃至６０が付けられている。ｒの各行は、各基準サブキャリアにつき１ビットのシステム制御データ系列を含み（差動符号化前）、同じＯＦＤＭシンボルで送信される。行０が最初に埋められる。ｒの任意所与の列は３２個のＯＦＤＭシンボルにわたり単一の基準サブキャリアのシステム制御データ系列を含む。
【００４２】
図９はプライマリ基準サブキャリアシステム制御データ系列１０４を示す概略図である。システム制御データ系列は種々のシステム制御コンポーネントを表すビットフィールドより成る。プライマリ側波帯に位置する基準サブキャリアはセカンダリ側波帯に位置する基準サブキャリアとは異なるフィールドを有する。プライマリ・メイン基準サブキャリアの情報はプライマリサービスに限り適用され、セカンダリ基準サブキャリアの情報はセカンダリサービスに限り適用される。プライマリ基準サブキャリアシステム制御データ系列を図９に示すが、これを表１において定義する。ビット３１乃至０がｒの行０乃至３１にそれぞれマッピングされる。セカンダリ基準サブキャリアも同様に定義される。
【００４３】
表１  プライマリシステム制御データ系列ビットマップ
2007511980.tif 000003
【００４４】
図１０は差動符号化器１０６のブロック図である。３２×６１の行列ｒの各列のビット（システム制御データ系列アセンブラにより編成されている）は、図１０に従って差動符号化され、同じオーダーで行列Ｒに出力される。概念的に、このプロセスは６１個の並列差動符号化器としてみることができる。個々の差動符号化器について、ｒの単一列ｊのビットがｉ＝０．．．３１で順次処理される。１つのシステム制御データ系列ビットは一度に１つの差動符号化器に入力される。このビットは前に蓄積された出力ビットＲ[1][j]にモジュロ２加算され、最も最近の出力ビットＲ[i][j]が形成される。その結果得られる出力ビット流は入力ビットが１になる度に極性を反転させる。各差動符号化器の初期状態は０である。
【００４５】
基準サブキャリアは、送信前に差動符号化される反復性の３２ビットＢＰＳＫタイミング系列で変調される。基準サブキャリアは多数の目的を達成するが、それらは、（１）捕捉時におけるサブキャリアあいまい性の解消、（２）後でコヒーレント検波を行うための局部位相基準、（３）チャンネル状態情報（ＣＳＩ）を推定するための局部ノイズ及び／または干渉サンプル、及び（４）周波数及びシンボルトラッキングのための位相誤差情報である。ＢＰＳＫタイミング系列の差動符号化により、残りのサブキャリアにつき必要とされるコヒーレント基準を確立する前にＢＰＳＫタイミング系列を検知できる。その後、差動検波パターンを用いて基準サブキャリアからデータ変調分を除去すると、基準の局部位相についての情報と共にノイズまたは干渉サンプルが残る。これは後で軟判定復号のために必要とされるＣＳＩの推定に使用する。
【００４６】
図１１はコヒーレント基準／ＣＳＩ機能の高レベルブロック図である。ブロック同期パターンの１１個の同期ビットは残り２１ビットの値にかかわらず各ブロックの境界を一義的に画定するに十分である。ＢＰＳＫは差動検波ＱＰＳＫと比べてノイズ及びチャンネル毀損に対する耐性が高いため基準サブキャリアにつき選択される。さらに、全ての基準サブキャリアにわたるＢＰＳＫタイミング系列の冗長性により、最も厳しい干渉及びチャンネル条件の下でもロバスト性の高い基準が得られる。ＢＰＳＫタイミング系列の変数フィールド（ハイブリッド／デジタル、スペア、ブロックカウント及びモード）は、エラー保護のためだけでなく差動符号化による各変数フィールドの終端における位相基準の変動をなくすためにパリティチェックされる。同じＢＰＳＫタイミング系列（２ビット基準サブキャリアのＩＤフィールドは例外として）は、全ての基準サブキャリア位置で冗長的に送信され、ブロックカウントフィールドに画定されたインターリーバーのブロックと同時的である。
【００４７】
コヒーレント基準／ＣＳＩモジュールはデータサブキャリアをコヒーレント検波するための位相基準を発生し、その結果得られた軟判定を現在のチャンネル状態に応じて適宜重み付けする。複素重み付けされた軟判定は、その後、スケーリングを施され、制限され、そして適当なデインターリーバー行列に蓄積されてビット処理モジュールへ出力される。
【００４８】
重み付けされた軟判定の大きさはトラッキング制御モジュールのための１組の同期重みを形成するために時間にわたり平滑化される。さらに、誤差のあるシンボルトラッキング状態を検出するために完全精度浮動小数点軟判定値もトラッキング制御モジュールへ送られる。
【００４９】
図１２はコヒーレント基準／ＣＳＩ機能の詳細ブロック図である。位相等化モジュールから各ＯＦＤＭシンボル時間、上側プライマリ、下側プライマリ及びセカンダリ位相等化周波数領域シンボルが受信される。各シンボルは多数の基準及びデータサブキャリアより成る。基準サブキャリアはコヒーレント位相基準及びＣＳＩ重みを発生するために使用されるが、これらの重みはその後データサブキャリアに適用されてビット処理及びトラッキング制御に使用される軟判定値を発生させる。さらに、ＣＳＩ重みはトラッキング制御モジュールの同期重みを発生するために使用される。コヒーレント基準／ＣＳＩモジュールは、フレーム同期／システム制御モジュールがサブフレーム（Ｌ１ブロック）の境界の位置を検知するまで実行されない。
【００５０】
図１２の詳細ブロック図は、コヒーレント基準／ＣＳＩモジュールが７つの主要な機能コンポーネントより成ることを示す：
ａ．基準サブキャリアデータの除去１１０、
ｂ．基準サブキャリアの推定１１２、
ｃ．ノイズ分散の推定１１４、
ｄ．コヒーレント位相基準の重み付け１１６、
ｅ．同期重みの発生１１８、
ｆ．基準サブキャリアの補間１２０、
ｇ．軟判定制御１２２である。
【００５１】
これらの機能コンポーネントの動作及び相互作用を以下において簡単に要約する。フレーム同期／システム制御モジュールからの符号化システム制御データ系列を用いて、基準サブキャリアデータ除去コンポーネントは受信ＯＦＤＭシンボルの各位相等化基準サブキャリアからデータを分離する。基準サブキャリアから変調分を除去することにより、コヒーレント検波のための受信信号の位相の正確な推定が可能となる。
【００５２】
その後、データが分離された基準サブキャリアは基準サブキャリア推定コンポーネントによる時間と周波数におけるフィルタリングを施される。フィルタリング済みの各基準サブキャリアの大きさはその平均信号電力の推定値を与えるが、その角度は復調済みＯＦＤＭデータサブキャリアのコヒーレント検波に必要なコヒーレント位相基準を与える。
【００５３】
ビタビ復号器の性能を最適化するには、復調済みの各復調ＯＦＤＭサブキャリアの大きさをその信号対ノイズ比の推定値により重み付けする必要がある。この「ＣＳＩ推定値」はコヒーレント位相基準重み付けコンポーネントにより計算され適用される。信号電力推定値はフィルタリング済みの各基準サブキャリアの大きさにすぎず、各基準サブキャリアのノイズ電力推定値はノイズ分散推定コンポーネントにより与えられる。コヒーレント位相基準重み付けコンポーネントは、フィルタリング済み基準サブキャリアをそれらの対応ノイズ分散推定値で割算して、各基準サブキャリアのＣＳＩ重み付けされたコヒーレント位相基準を形成する。
【００５４】
その後、基準サブキャリア補間コンポーネントにより、ＣＳＩ重み付けされたコヒーレント位相基準がデータサブキャリアに適用される。このコンポーネントは基準サブキャリアのコヒーレント位相基準の間で補間を行い、補間された基準を対応のデータサブキャリアに適用する。その結果得られる浮動小数点軟判定値がエラーのあるシンボルトラッキング状態を検出するためにトラッキング制御モジュールへ送られる。さらに、軟判定制御コンポーネントは浮動小数点軟判定値をスケーリングし、量子化して、ビット処理及びＢＥＲモジュールへ出力するために適当なインターリーバー行列に配置する。
【００５５】
同期重み発生コンポーネントは、ＣＳＩ重み付けコヒーレント位相基準の大きさを計算し、それらの基準を時間にわたり平滑化して、トラッキング制御へ送り、同期重みとして使用する。
【００５６】
プライマリ及びセカンダリ側波帯は共に主要な機能コンポーネントにより処理される。コヒーレント基準／ＣＳＩモジュールへの入力は、等化済みシンボル、符号化済みシステム制御データ系列、区分グループ、ＣＳＩ遅延バッファ情報、同期ステータス及びシステム制御データである。
【００５７】
等化済みシンボルはコヒーレント位相基準及びＣＳＩ重みの発生に使用されるが、これらは出力軟判定値を発生するためにデータサブキャリアに適用される。各ＯＦＤＭシンボル時間、上側プライマリ等化済みシンボル及び下側プライマリ等化済みシンボルは位相等化モジュールから送られる。さらに、位相等化モジュールはまた、ＯＦＤＭシンボルレートＲs（３４４．５３１２５Ｈｚ）でセカンダリ等化済みシンボルを送る。各上側または下側プライマリシンボルは２６７個の複素サンプルより成る。各セカンダリシンボルは５５９個の複素サンプルより成る。
【００５８】
符号化されたシステム制御データ系列は等化済みシンボルにおいてデータを基準サブキャリアから分離するために使用される。フレーム同期／システム制御モジュールはプライマリ及びセカンダリ符号化システム制御データ系列をコヒーレント基準／ＣＳＩモジュールへ運ぶ。各基準サブキャリア識別（ＲＳＩＤ）値につき１個のプライマリ及び４個のセカンダリ系列が運ばれる。各系列はそのシンボルレートで単一の値を与える。
【００５９】
コヒーレント基準／ＣＳＩモジュール中の機能コンポーネントにより全側波帯が同様に処理されるが、それらが作用するサブキャリアはサービスモードにより異なることがある。区分グループは所与のシンボル内に埋め込まれる周波数区分を識別する。それは何れのプライマリ拡張区分及び何れのセカンダリ側波帯が処理のために利用可能であるかを示す。シンボル時間毎に復調エグゼクティブから単一の区分グループ値が運ばれる。
【００６０】
ＣＳＩ遅延バッファ情報は２２シンボルＣＳＩ遅延サーキュラーバッファの最後の要素のアドレスにすぎない。このバッファは入力等化シンボルをそれらに対応するＣＳＩ重み付けコヒーレント位相基準と整列させる。ＣＳＩ遅延バッファ情報はサーキュラーバッファのポインタを包むために使用される。ＣＳＩ遅延バッファ情報入力は２つあるが、１つはプライマリ側波帯のものであり、もう１つはセカンダリ側波帯のものである。各入力はシンボルレートで単一の値を与える。
【００６１】
同期ステータスは２つのフラッグよりなるが、１つはフレーム同期／システム制御モジュールからのもので有効なブロックカウントを示し、もう１つは復調エグゼクティブからのもので入力等化シンボルがそれらのＣＳＩ重み付けコヒーレント位相基準と適正に整列できるようにするため十分に遅延されていることを示す。２つの同期ステータス値はシンボル時間毎に運ばれる。
【００６２】
フレーム同期／システム制御モジュールにより運ばれるシステム制御データは、プライマリサービスモード、セカンダリサービスモード及びブロックカウントを含む。サービスモードは軟判定制御コンポーネントにより出力軟判定値の位置及び数を決定するために使用される。ブロックカウントは現在のＬ１ブロックのインデックスを示すが、これを軟判定制御コンポーネントが用いて軟判定値をいつ適当なデインターリーバー行列に差し向けることができるかをチェックする。３つのシステム制御データ値がシンボル時間毎に運ばれる。
【００６３】
コヒーレント基準／ＣＳＩモジュールの出力は、デインターリーバー行列、デインターリーバースタートフラッグ、プライマリ完全精度軟判定値及び同期重みである。シンボル時間毎にコヒーレント基準／ＣＳＩモジュールは量子化された軟判定値をプライマリ及びセカンダリデインターリーバー行列へ差し向ける。軟判定値及びそれらの行先であるデインターリーバー行列の数はサービスモードにより決定される。Ｌ１ブロック毎に、デインターリーバー行列内の全ての軟判定値が復調エグゼクティブによりビット及びＢＥＲモジュールへ送られる。
【００６４】
基準サブキャリアデータ除去コンポーネントは、フレーム同期／システム制御モジュールからの符号化システム制御データ系列を用いて変調分を入力位相等化基準サブキャリアから分離する。これがコヒーレント検波のために受信信号の正確な位相推定を可能にする。
【００６５】
基準サブキャリアは最初に入力位相等化サブキャリアから抽出される。下側プライマリ側波帯は基準サブキャリア０乃至１４含み、セカンダリ側波帯は基準サブキャリア１５乃至４５を含み、上側プライマリ側波帯は基準サブキャリア４６乃至６０を含む。
【００６６】
基準サブキャリアからの変調分の除去は、基準サブキャリアデータの複素共役に４つの符号化システム制御データ系列のうちの１つからの複素データ値を乗算することにより行われる。下式は各ＯＦＤＭシンボル内の各基準サブキャリアの作用を示す。
【００６７】
2007511980.tif 000004
上式において、ｙは分離基準サブキャリアの複素データ値、ｘは入力基準サブキャリアの複素データ値、ｎは符号化システム制御データの系列番号（０，１，２または３）及びｐnは適当なシステムデータ制御値である。
【００６８】
2007511980.tif 000005
量（１＋ｊ・ｐn）はノイズによる影響を受けない２つのＢＰＳＫコンスタレーション点を表す。
【００６９】
各システム制御データ系列からの単一の値が各ＯＦＤＭシンボル時間に受信される。フレーム同期／システム制御モジュールから受信される４つの符号化制御データ系列は、４つの可能な基準サブキャリアＩＤ（ＲＳＩＤ）番号で変調される。基準サブキャリアデータ値は同じＲＳＩＤを共有するシステム制御データ値により乗算される。
【００７０】
基準サブキャリアデータ除去動作は、上側プライマリについて図１３に示されている。それ以外の側波帯の基準サブキャリアデータ除去動作も同様な態様で実行される。
【００７１】
基準サブキャリア推定コンポーネントは、データを分離された基準サブキャリアに時間と周波数の両方においてフィルタリングを施す。フィルタリング済みの各基準サブキャリアの大きさによりその平均信号電力が推定されるが、その角度によりそのコヒーレント位相基準が推定される。
【００７２】
データを分離された基準サブキャリアは最初に１１タップ型時間領域ＦＩＲフィルタを通す。各基準サブキャリアは別々にフィルタリングを受けるため、上側及び下側プライマリ側波帯の両方につき事実上１５個の並列なフィルタが存在し、また、セカンダリ側波帯について３１個の並列フィルタが存在する。その結果得られる時間についてフィルタリングを施された基準サブキャリアは、縦続接続された４個の３タップ型ＦＩＲフィルタにより周波数においてフィルタリングを施される。各ステージは、次のステージへ進む前に単一のＯＦＤＭシンボル内の全ての基準サブキャリアについて実行される。外側の基準サブキャリアのフィルタメモリを充填するために、エンドポイント（区分グループにより決定される）を複製する必要がある。図１４及び１５はそれぞれプライマリ及びセカンダリ側波帯の基準サブキャリア推定プロセスの詳細ブロック図を示す。
【００７３】
図１４はプライマリ側波帯基準サブキャリア推定部のブロック図である。図１５はセカンダリ側波帯基準サブキャリア推定部のブロック図である。時間領域フィルタリング動作はＯＦＤＭシンボルｎの各基準サブキャリアにつき以下のように行われる。
【００７４】
2007511980.tif 000006
ｙ［ｎ］はＯＦＤＭシンボルｎの時間フィルタリング済み出力基準サブキャリア、ｘ［ｎ］はＯＦＤＭシンボルｎの分離済み入力基準サブキャリア、ｈ［ｋ］はＦＩＲフィルタの係数配列であり、ｋはフィルタ加算インデックスである。ＯＦＤＭシンボルについて、全ての基準サブキャリアが以下の４つの式を順次実行することにより周波数フィルタリングされる。
【００７５】
2007511980.tif 000007
上式において、ｙ［ｍ］は時間フィルタリングされた入力基準サブキャリア、ｈ［ｋ］はＦＩＲフィルタの係数配列、ｋはフィルタ加算インデックスである。上式において、ｍは基準サブキャリアのインデックスを表し、特定の側波帯のその範囲は区分グループの関数である。さらに、ａ［ｍ］、ｂ［ｍ］、ｃ［ｍ］、ｄ［ｍ］はそれぞれＦＩＲフィルタの第１、第２、第３及び最後のステージの出力である。
【００７６】
周波数フィルタリング動作において、側波帯の第１及び最後の基準サブキャリアはそれぞれ、第１及び最後のサブキャリアのフィルタリングのためにフィルタのメモリを充填するべく各フィルタ段の最初及び最後に反復される。上側プライマリ側波帯では、以下の基準サブキャリアが区分グループの関数として複製される。即ち、基準サブキャリア６０は複製されて全ての区分グループの余分のメモリ場所に配置され、基準サブキャリア５０は区分グループ「Ｅｔｅｎｄ０」のための基準サブキャリア４９の位置に配置され（サービスモードＭＰ１）、基準サブキャリア４９は複製されて区分グループの「Ｅｔｅｎｄ１」のための基準サブキャリア４８の位置に配置され（サービスモードＭＰ２）、基準サブキャリア４８は複製されて区分グループ「Ｅｔｅｎｄ２」のための基準サブキャリア４７の位置に配置され（サービスモードＭＰ３）、そして基準サブキャリア４６は複製されて区分グループ「Ｅｔｅｎｄ４」の余分のメモリ場所に配置される（サービスモードＭＰ４、ＭＰ５、ＭＰ６及びＭＰ７）。それ以外の側波帯のフィルタリングは同様に実行される。
【００７７】
ノイズ分散推定コンポーネントは各基準サブキャリアのノイズ電力推定値を計算する。このノイズ電力推定値は分離及びフィルタリング済みの基準サブキャリアをＣＳＩ推定値で重み付けするためにコヒーレント位相基準重み付けコンポーネントにより使用される。
【００７８】
基準サブキャリア推定コンポーネントからのフィルタリング済みサブキャリア（信号）は、それらに対応する遅延及び分離済み基準サブキャリア（信号及びノイズ）から減算することにより、プライマリ及びセカンダリ側波帯の各基準サブキャリアの複素ノイズ推定値（信号プラスノイズ−信号＝ノイズ）を形成する。その後、複素ノイズ推定値の自乗に周波数及び時間フィルタリングを施して、各基準サブキャリアの平均ノイズ分散推定値を発生させる。
【００７９】
大きさを自乗する動作は全ての基準サブキャリアのノイズ値について行われ、ノイズ分散サンプルを発生させる。このノイズ分散サンプルはその後、基準サブキャリアを推定するために周波数フィルタリングを施される。周波数フィルタリング済みノイズ分散推定値はその後、ＩＩＲノイズ推定フィルタへ送られる。上側及び下側プライマリ側波帯の両方のための合計１５個の別個のＩＩＲフィルタと、セカンダリ側波帯のための３１個の別のＩＩＲフィルタ（各基準サブキャリアノイズ分散サンプルにつき１個）が存在する。ＩＩＲフィルタは単位利得、２極、高損失の積分器であり、入力ノイズ分散サンプルを平均する。それらはＯＦＤＭシンボル時間毎にただ１回実行される。各基準サブキャリアの平均ノイズ分散推定値はフィルタから出力される。
【００８０】
図１６及び１７はそれぞれ、プライマリ及びセカンダリ側波帯のノイズ分散推定プロセスの詳細ブロック図である。図１６はプライマリ側波帯ノイズ分散推定部のブロック図、図１７はセカンダリ側波帯ノイズ分散推定部のブロック図である。
【００８１】
ＯＦＤＭシンボルｎの各基準サブキャリアの減算及び大きさ自乗動作を下式で説明する。
【００８２】
2007511980.tif 000008
上式において、ｚ［ｎ］はノイズ分散サンプル、ｙ［ｎ］はフィルタリング済み基準サブキャリア、ｘ［ｎ−５］は基準サブキャリア推定コンポーネントにおいて時間領域ＦＩＲフィルタの遅延を補償するために５つのシンボルにより遅延された分離済み基準サブキャリアである。
【００８３】
周波数フィルタリング動作は基準サブキャリア推定コンポーネントに使用されるものと同一である。ＩＩＲフィルタリング動作はＯＦＤＭシンボルｎにおいて各基準サブキャリアにつき以下のように行われる。
【００８４】
2007511980.tif 000009
上式において、σ2［ｎ］はＯＦＤＭシンボルｎの出力ノイズ分散推定値、ｖ［ｎ］は周波数フィルタリング済み入力ノイズ分散推定値である。下記のフィルタ係数はα＝１/１６である２極高損失積分器に基づき計算される。
【００８５】
2007511980.tif 000010
コヒーレント位相基準重み付けコンポーネントはＣＳＩ重みを計算して、これを各フィルタリング済み基準サブキャリアに適用する。各基準サブキャリアの信号対ノイズ比を推定するこれらのＣＳＩ重みは最終的に各データサブキャリアに適用され、ビタビ復号器の性能を改善する。フィルタリング済み基準サブキャリアの大きさは信号電力を表すため、ＣＳＩ重みは各フィルタリング済み基準サブキャリアをその対応するノイズ分散推定値で割算するだけで計算され、適用される。その結果得られる複素基準サブキャリアの大きさがＣＳＩ重みであり、角度はコヒーレント位相基準である。このコンポーネントの実施例を以下において説明する。
【００８６】
フィルタリング済み基準サブキャリアは、ノイズ分散推定コンポーネントにおいてＩＩＲフィルタリの遅延を補償するために１６個のシンボルだけ遅延される。０による割算を防止するために、最初にノイズ分散推定値に小さなバイアスが加えられる。遅延及びフィルタリング済み基準サブキャリアはその後、それらに対応するノイズ分散推定値の逆数で重み付けされ、プライマリ及びセカンダリ側波帯の各基準サブキャリアのＣＳＩ重み付けコヒーレント位相基準を発生させる。
【００８７】
図１８は基準サブキャリアのＣＳＩ重み付けを示すブロック図である。ＣＳＩ重み付け動作は以下に示すようにＯＦＤＭシンボルのｎの基準サブキャリアについて行われる。
【００８８】
2007511980.tif 000011
上式において、ｗ［ｎ］はＯＦＤＭシンボルｎのＣＳＩ重み付けされた出力基準サブキャリア、σ2［ｎ］は入力ノイズ分散推定値、ｘ［ｎ−１６］は遅延及びフィルタリング済み入力基準サブキャリア、ε＝１０-11は０による割算を防止するために加えられるバイアスである。ＣＳＩ重み付け動作は全ての側波帯につき同一である。
【００８９】
同期重みは、信号フェージング効果を除去するために長期間にわたり平均されたＣＳＩ重みにすぎない。トラッキング制御モジュールはこれらの同期重みを用いてそのシンボルトラッキングループのトラッキング補正値を形成する。
【００９０】
同期重みは、プライマリ側波帯における各ＣＳＩ重み付け及びフィルタリング済み基準サブキャリアの大きさを計算し、その結果をＩＩＲフィルタで平滑化することにより各ＯＦＤＭシンボルについて発生される。合計３０個の別個のＩＩＲフィルタ（各基準サブキャリアにつき１個）が存在する。ＩＩＲフィルタは単位利得、２極及び高損失の積分器であり、入力ＣＳＩ重みを長い持続時間にわたり平均する。それらはＯＦＤＭシンボル時間につき１回実行される。
【００９１】
３０個の同期重みは全て、拡張側波帯を埋めないサービスモードでも常に発生される。これは、拡張サブキャリアが存在しなくてもＣＳＩ重み（従って同期重み）が自動的に最小限に抑えられるため受け入れ可能である。
【００９２】
図１９は同期重み発生部のブロック図である。ＯＦＤＭシンボルの各ＣＳＩ重み付けプライマリ基準サブキャリアの大きさの複素量は以下のように計算される。
【００９３】
2007511980.tif 000012
上式において、ｘi及びｘqはＣＳＩ重み付け及びフィルタリング済み入力基準サブキャリアの実数及び虚数部分であり、ｗはそれに関連のＣＳＩ重みである。
【００９４】
ＩＩＲフィルタリング動作はＯＦＤＭシンボルｎの各プライマリ基準サブキャリアにつき以下のように行われる。
【００９５】
2007511980.tif 000013
上式において、ｙ［ｎ］はＯＦＤＭシンボルｎの特定の基準サブキャリアに関連する出力同期重みであり、ｗ［ｎ］は入力ＣＳＩ重みである。下記のフィルタの係数は、α＝１/１２８である２極高損失積分器に基づき計算される。
【００９６】
2007511980.tif 000014
同期重み発生動作はプライマリ側波帯についてのみ行われる。
【００９７】
基準サブキャリア補間コンポーネントはＣＳＩ重み付けコヒーレント位相基準を各データサブキャリアに適用する。コヒーレント位相基準は、基準サブキャリアのコヒーレント位相基準間で補間を行うことにより各データサブキャリアにつき発生される。その結果得られるデータサブキャリアのコヒーレント位相基準はその後、対応のデータサブキャリアにより乗算されて、コヒーレント検波、ＣＳＩ重み付けされた複素軟判定値を発生させる。
【００９８】
プライマリ側波帯について、ＣＳＩ重み付け及びフィルタリング済み基準サブキャリアは、補間係数が１９である周波数領域フィルタを通す。この補間フィルタは全ての有効な基準サブキャリアにわたって「スライド」する３７タップ型ＦＩＲフィルタである。補間フィルタは時間フィルタリング動作をしないため、単一のＯＦＤＭシンボルからのデータに対してのみ作用する。
【００９９】
補間プロセスは、最初に各フィルタリング済み基準の間の場所に１８個の複素０を挿入して、補間係数を１９にする。さらに、第１の基準サブキャリアの前と、最後の基準サブキャリアの後に１８個の０を付加することによりフィルタを適切に初期化する。そうすると、ＦＩＲフィルタは０を詰め込んだデータに作用する。周波数にわたり「スライド」するため、フィルタ内には一度にせいぜい２つの基準（０でない入力）が存在する。フィルタが１つの基準を中心とする時、そのフィルタ内にはただ１つの基準が存在し、それは中央タップに整列する。この場合、フィルタは入力基準サブキャリアをただ戻すだけであり、このサブキャリアは後で除去される。
【０１００】
図２０はプライマリ側波帯の基準サブキャリアの補間を説明する概略図である。セカンダリ側波帯の補間フィルタリングも同じような態様で行われる。
【０１０１】
１つのシンボルがフィルタリングを施されると、出力から基準サブキャリアが除去され、各データサブキャリアのＣＳＩ重み付けコヒーレント位相基準だけが残される。その後、補間済み位相基準がそれらに対応する等化データサブキャリアにより乗算され、出力軟判定値が作成される。複素乗算の前に、位相等化済みデータサブキャリアを補間済み位相基準と適切に整列させる必要がある。これは位相等化済みデータサブキャリアを２１シンボルだけ遅延させることにより行う。この遅延により、基準サブキャリアの時間領域ＦＩＲフィルタにより導入される遅延（５シンボル）と、ノイズ分散推定ＩＩＲフィルタにより導入される遅延（１６シンボル）の全部の遅延が補償される。
【０１０２】
図２１は基準サブキャリア補間プロセスのブロック図である。補間フィルタリング動作はＯＦＤＭシンボル内の各サブキャリアｎにつき以下のように行われる。
【０１０３】
2007511980.tif 000015
上式において、ｘ［ｎ＋ｋ−（Ｋ−１）／２］はＯＦＤＭサブキャリアｎ＋ｋ−（Ｋ−１）／２の０充填入力であり、ｙ［ｎ］はＯＦＤＭサブキャリアｎの補間済みコヒーレント位相基準であり、ｈ［ｋ］はＦＩＲフィルタの係数配列であり、ｋはフィルタ加算インデックスである。フィルタのタップ数Ｋはセカンダリ保護側波帯では２５、他の全ての側波帯では３７である。
【０１０４】
チャンネルにわたる損失を最小限に抑えるために、コヒーレント検波ＱＰＳＫサブキャリアシンボルにつき最大比率の結合（ＭＲＣ）を行う重み付けによる軟判定ビタビ復号法が用いられる。干渉波及び信号波レベルは選択的フェージングによりサブキャリア（周波数）及び時間にわたって変化するため、ビタビ復号のブランチメトリックとして使用される軟シンボルの重み付けを適応的に調整するには適時のＣＳＩが必要である。ＣＳＩ推定法は、１００ＭＨｚ周辺のＦＭバンドにおいて最大車両速度につき最大約１３Ｈｚとなるフェージング帯域幅に配慮するように設計する必要がある。数マイクロ秒の遅延の広がりが一般的であるが、一部の環境ではそれより大きい広がりが測定されている。基準サブキャリアから位相基準及びＣＳＩの両方を推定する方法を図２１において説明する。このＣＳＩ重みはＭＲＣのための振幅重み付けをチャンネル位相誤差の位相訂正と組み合わせたものである。
【０１０５】
図２１のＣＳＩ復元法の動作は、サブキャリアの周波数及びＯＦＤＭシンボルのシンボルタイミングの捕捉及びトラッキングを想定している。周波数及びシンボルタイミングの捕捉技術はサイクリックプレフィックスの特性を利用する。周波数及びシンボルのトラッキングは時間または周波数（サブキャリア）にわたりシンボルからシンボルへの位相ドリフトを観察することにより行われる。
【０１０６】
周波数とシンボルタイミングの両方を捕捉した後、差動検波したＢＰＳＫ系列をブロック同期パターンと相互相関することによりＢＰＳＫタイミング系列のブロック同期パターンへの同期が試みられる。トレーニングサブキャリアの位置が最初は知られていないと仮定すると、差動検波は全てのサブキャリアにわたって行われる。既知のブロック同期パターンと各サブキャリアの検出ビットとの相互相関が行われる。ブロック同期パターンの１１ビット全てがマッチしたことが検出されるとサブキャリア相関が宣言される。サブキャリアの相関数がしきい値基準（例えば、１９個のサブキャリアの倍数だけ離隔した４つのサブキャリア相関）を満たすかまたはそれを超えると、ブロック同期（及びサブキャリアあいまい性の解消）が確立される。
【０１０７】
ブロック同期が確立された後、ＢＰＳＫタイミング系列の変数フィールドを復号することができる。これらの変数フィールドの差動検波ビットは、これらのサブキャリアまたはビットの一部が毀損状態にあっても復号が可能なようにトレーニングサブキャリアにわたり多数決方式で判定される。各モデムフレーム内の１６個のブロックには０から１５の番号が逐次的に付されている。そのため、ブロックカウントは決して１５を超えず、このため、ブロックカウントフィールドのＭＳＢは常に０にセットされる。モデムフレームの同期はブロックカウントフィールドを知ることにより確立される。
【０１０８】
この信号をコヒーレント検波するにはコヒーレント位相基準が必要である。ＢＰＳＫタイミング系列からの復号化された情報を用いてトレーニングサブキャリアから変調分を除去すると、局部位相基準及びノイズに関する情報が残る。図２６を参照して、バイナリ（±１）タイミング系列の変調分は、受信したトレーニングサブキャリアに同期、復号及び再び差動符号化したＢＰＳＫタイミング系列を乗算することにより、それらの受信タイミングサブキャリアから最初に除去される。その結果得られるシンボルをＦＩＲフィルタにより時間にわたり平滑化すると、局部位相及び振幅の複素共役推定値が得られる。この値を遅延させ、ノイズ分散の逆数の推定値を乗算する。このノイズ分散値は、局部位相及び振幅の平滑化された推定値を適当な時間整列の後入力シンボルから減算し、複素ノイズサンプルを自乗しフィルタリングを施した後、その逆数を０で割算しないような保護を施して近似することにより推定される。このＣＳＩ重みは隣接するトレーニングサブキャリアの対間の１８個のサブキャリアにわたり補間される。その後、その結果得られたＣＳＩ局部重みをデータを有する対応の局部シンボルの乗算に用いる。
【０１０９】
１１タップ型ＦＩＲフィルタは、各サブキャリア位置で複素コヒーレント基準αを推定するために使用される。タップの多い大きいＦＩＲフィルタを用いると信号の統計量が定常状態にある時推定誤差が減少するが、ハイウェイの最高速度では信号のドップラー効果による変化をトラッキングするにはその帯域幅は小さすぎるであろう。従って、テイパーしたガウスのような対称的なインパルス応答を有する１１個のタップを備えたものが適当である。この対称的ＦＩＲはフィルタは、そのスパンにわたる一部が線形の（ほぼ）チャンネルフェージング特性ではバイアス誤差が０であるその線形位相特性のためにＩＩＲフィルタの代わりに使用される。ＦＩＲフィルタのこの平滑化されたコヒーレント基準信号出力は、遅延された入力サンプルから減算すると瞬時ノイズサンプルが得られる。これらのノイズサンプルは自乗され、ＩＩＲフィルタにより処理されると、ノイズ分散の推定値σ2が生じる。このフィルタの帯域幅はノイズ分散の一般的により正確な推定値を発生させるためにＦＩＲフィルタよりも狭い。フィルタ遅延にマッチさせるための適当なサンプル遅延を施した後、シンボル重みα＊／σ2を各サブキャリアにつき計算する。これらの値はより正確な推定値を得るために各ＯＦＤＭシンボルにつきサブキャリアにわたって平滑化及び補間される。この重みは各ＯＦＤＭシンボルにつき一義的であり、各サブキャリアは後続のビタビ復号器のブランチメトリックを形成するシンボルの局部（時間及び周波数）推定値及び重みを与える。
【０１１０】
上述したシステムは固定アンテナを備えた車両に適応するように設計されていた。チャンネル状態情報（ＣＳＩ）の捕捉、トラッキング、推定及びコヒーレント動作のための基準サブキャリアの多数の役割について説明した。このシステムは、ハイウェイ速度の車両に配慮してフェージング帯域幅を有するＦＭ放送バンド（８８−１０８ＭＨｚ）でのコヒーレント動作をするように設計された。種々のコヒーレントトラッキングパラメータは帯域幅が予想最大ドップラー帯域幅（ほぼ１３Ｈｚ）に近いフィルタを用いて推定される。固定アンテナでは、トラッキングアルゴリズムへの入力信号の関連トラッキング統計量はドップラー帯域幅より大きくないレートで変動すると想定される。しかしながら、車両の窓にダイバーシティ切換アンテナを使用すると、デジタル信号のコヒーレントトラッキングにあたり厳しい過渡現象が導入され、これがデジタル性能を劣化させる。かかるアンテナス切換ダイバーシティの一例は米国特許第６，６３３，２５８号に記載されている。
【０１１１】
ダイバーシティアンテナ切換装置は、車両の前方または後方の窓ガラス内に通常配置される多数のアンテナ素子（例えば、２乃至４個）を有する。これらの素子はダイバーシティ切換モジュールに接続され、このモジュールは素子のうちの１個または素子の組み合わせを動的に選択して受信機にＲＦアンテナ信号を与える。図２２はダイバーシティスイッチの構成を示す機能図である。多数の素子２００、２０２、２０４、２０６がダイバーシティ切換モジュール２０８に接続される。このダイバーシティ切換モジュールは制御信号を受ける入力２１０を有する。制御信号はブロック２１２で示す推定しきい値と比較され、制御信号と比較結果が増幅器２１４に入力される。スイッチ制御器２１６は増幅器出力に応答してアンテナスイッチ２１８を制御する。これによりアンテナのうちの１つが受信機のアンテナ入力２２０に接続される。
【０１１２】
ダイバーシティ切換モジュールは受信機からの信号をモニターして何時切換を行うかを決定する。典型的なモジュールの「ブラインド切換」アルゴリズムは受信機からの平均ＩＦ信号レベルに応じて切換しきい値を確立する。ＩＦ信号がこのしきい値以下に減少すると、スイッチは良好な信号が得られるという予想の下に別の素子を盲目的に選択する。新しい信号がしきい値より大きければ、スイッチは新しい素子の選択を維持し、そうでなければダイバーシティ切換モジュールは最小時間休止した後別の素子を選択する。このプロセスは切換モジュールが継続的にそのしきい値を更新することにより継続する。
【０１１３】
図２２は一般的なダイバーシティアンテナ切換装置の機能図である。ダイバーシティ切換アルゴリズムの動作の元となる理論は種々のアンテナ素子はそれらの瞬時フェージング状態が異なるという事実に基づく。マルチパスのフェージングにより、受信アンテナ素子にそれぞれ異なる時間に到達する信号の多数の通路（マルチパス）が加算される。例えば、１００ＭＨｚの波長はほぼ１０フィートである。２つの信号パスの到達時間に一波長または１０ナノ秒（１０フィートの伝播差）の時間差がある場合、信号は同相で加算される。同様に、２つのパスが半波長の時間差でアンテナ素子に到達する場合、位相のずれた信号が加算された相殺される。この加算または相殺は移動中の車両では動的に行われるが、ドップラー帯域幅はＢＷ＝ｆc＊speed／cにより近似される（ｆcはキャリア周波数、speedは車両速度、ｃは光速）。ドップラー帯域幅は典型的なハイウェイの速度でほぼ１０Ｈｚである。従って、１つのアンテナ素子の信号ベクトル（大きさ／位相の複素バージョン）はこの例ではほぼ１０Ｈｚのレートで変動する。コヒーレント信号のトラッキングを維持するには、基準信号及びチャンネル状態のコヒーレントトラッキングを１０Ｈｚの帯域幅に適応させる必要がある。
【０１１４】
車両の典型的なアンテナ素子はどちらかと言えばそれぞれ独立の瞬時フェージング状態を経験することがある（素子の間隔及びマルチパスの方向によるが）。例えば、１つの素子がフェージング０の状態にある時、別の素子は最大値にある。数個の素子を有する車両では、この素子がフェージングを経験している（信号が相殺される）間、別の素子が十分に大きい信号を受ける可能性がある。多素子ＦＭダイバーシティアンテナ装置の典型的な素子の瞬時フェージング状態にはどちらかと言えば相関関係があるが、所望のダイバーシティ利得を達成して性能が改善されるほど十分な相関関係があるわけではない。図２３はアンテナ素子がシンボル１００個毎に切換られるノイズのないフェージング信号の実数成分２２６及び虚数成分２２８を示すグラフである。
【０１１５】
この例では、ダイバーシティ切換モジュールの切換時間は１０μ秒のオーダーであるが、最小休止時間は１０ミリ秒のオーダーであると想定することができる。１０μ秒の切換時間は復調されたＦＭ信号には何の音声的効果を及ぼさない。しかしながら、信号のフェージングが回避されるためＦＭダイバーシティによる全体的な改善はかなりのものになりうる。しかしながら、切換による過渡現象はコヒーレントトラッキング済みデジタル信号に悪影響を与える。本発明の目的は、ダイバーシティアンテナ切換装置の切換による過渡現象に対処するコヒーレントトラッキング法を見つけることである。
【０１１６】
この問題は下記のように要約可能である。アンテナモジュールの切換によりコヒーレント信号にステップ状の過渡現象が発生するが、この過渡現象の直前または直後の信号はほぼコヒーレントである。このステップ状過渡現象に対して有限インパルス応答（ＦＩＲ）のフィルタリングを施すと、推定コヒーレントチャンネル基準αに歪みが生じ、ＦＩＲフィルタの長さ（１１タップ）に等しいスパンのサンプルが影響を受ける。コヒーレントチャンネル基準のこの歪みによりこの基準を入力サンプルから減算して得たノイズサンプルの大きさが増加する。ノイズは過渡現象の近辺で増加するが、無限インパルス応答（ＩＩＲ）フィルタはこのノイズのピークをＩＩＲフィルタのスパンにわたり押し広げる。これには過渡現象のすぐ近くのノイズの分散を過小評価する一方、過渡現象のすぐ近くにないＩＩＲフィルタの時間スパンにわたるノイズの分散を過大評価する効果である。歪んだコヒーレントチャンネル基準とノイズ分散誤差との両方がデジタル信号の劣化に寄与する。
【０１１７】
図２４は、信号ノイズ比が１０ｄＢのシンボル２００の所の過渡現象の近辺で切換られるフィルタリング済みコヒーレント基準フェージング信号の実数成分と虚数成分を示すグラフである。図２４はスイッチのステップ状過渡現象の近辺における推定コヒーレント基準信号を示す。実線２３０及び２３２は平滑化された複素チャンネル利得値（α）であり、基準信号が過渡現象の近辺で歪んでいる場合の１１タップ型ＦＩＲフィルタの効果を示す。ＦＩＲフィルタは切換による過渡現象の両側においてサンプルの補間を滑らかにする（歪ませる）効果を有する。鎖線２３４及び２３６はその過渡現象を経験するシンボルだけが影響を受ける場合のコヒーレント信号のよりよい推定値を示す。
【０１１８】
図２５はノイズ推定値（信号ノイズ比が２０ｄＢ）に対する切換による過渡現象の影響を示す曲線である。ライン２４０はＩＩＲフィルタへのノイズサンプル入力であり、ライン２４２はフィルタリングを施した出力である。入力ノイズサンプル（自乗）は過渡現象の直近で増加するとして示すことができる。これは実際には、１１タップ型ＦＩＲフィルタによるコヒーレントチャンネル基準の歪みに起因する。ＩＩＲ出力はノイズのピークに応答するが、これらのピークは過渡現象にとって局部的に抑制され、しかしながら、ＩＩＲフィルタの持続時間にわたり押し広げられる。局部的なノイズの分散の推定におけるこれらのエラーはデジタル性能の劣化に寄与する。
【０１１９】
その解決法は以下のように要約可能である。前に図２４に示したように、切換による過渡現象の両側（時間について）においてコヒーレントトラッキングを行うことができる。コヒーレント推定フィルタは過渡現象をまたぐ信号サンプルを使用できないため、トラッキングフィルタは何れかの時間方向において過渡現象までの（それを含まない）信号サンプルだけを使用することができる。
【０１２０】
ステップ状過渡現象によるエラーを訂正する１つの可能な方法は信号の過渡現象の時間位置を同定することを含む。切換の瞬間を受信機モデムに明示的に伝えることが理論上可能であるはずであるが、これは実用的でない。モデムコヒーレントトラッキングアルゴリズム内で過渡現象を高い信頼度で検出するのが好ましい。過渡現象が発生した所のシンボルを除き、その過渡現象のすぐ近くでほぼコヒーレントなトラッキングを行うように過渡現象の近くでコヒーレントトラッキングアルゴリズムを修正することが可能である。ノイズ分散推定値のエラーはコヒーレントチャンネル基準のエラーによることを留意するのは価値あることである。
【０１２１】
過渡現象検出アルゴリズムの複雑さ及び過渡現象の誤検出による劣化により非常に単純なアルゴリズムの開発が促され、その結果性能が向上した。
【０１２２】
平均的な白色ガウスノイズ（ＡＷＧＮ）チャンネルでは、コヒーレントチャンネル基準及びノイズ推定値に線形フィルタリングを施すとほぼ最適の結果が得られる。このタイプの線形フィルタ及びフィルタの時間スパンはフェージング統計量、及び、さらに詳しくは対象となるパラメータの自動相関関数に依存する。最初の設計では、推定誤差（分散）の減少と、フェージングにおけるパラメータをトラッキングする推定値のすばやさとの間において合理的な妥協をはかるものとしてハイウェイ速度でのこの自動相関関数を近似する対称的な１１タップ型ＦＩＲフィルタが選択された。位相が線形なことはノイズでは問題ではないため、ＩＩＲフィルタを用いてノイズの分散を推定した。これらの推定フィルタは共に、選択性フェージング環境に配慮した実効周波数スパンを用いて（周波数自動相関）サブキャリアにわたりさらなる周波数フィルタリングを行うことにより増強された。これらのフィルタはＡＷＧＮチャンネル、フェージングにおいてよい結果を生じ、フェージングダイナミックスより遅いはずであるかなり遅い自動利得制御（ＡＧＣ）機能を想定している。図２６はコヒーレント基準及びノイズ推定部のブロック図である。
【０１２３】
一部の自動車用受信機は、ダイバーシティ切換アンテナ及び高速ＡＧＣを使用する。コヒーレント基準及びノイズ推定フィルタはこれらの用途にはもはや適していない。さらに、第１番目の隣接するＦＭ信号からの干渉波はＡＷＧＮでなく、インパルスのような特性に近いため、推定フィルタ技術を適当に修正することにより幾分か改善することが可能である。過渡現象の検出及びそれに続くコヒーレント基準の調整をノイズ推定の修正と共に行ってこの問題を解決することができる。
【０１２４】
線形フィルタによるフィルタリング（ＦＩＲまたはＩＩＲ）でなくてメディアンフィルタによるフィルタリングが推定パラメータのステップ状変化を保持しながら推定ノイズを減少させ、また、インパルスノイズの影響を減少させる方法であることがよく知られている。このメディアンフィルタによるフィルタリングを過渡現象の検出及びコヒーレント基準の調整に置き換えると便利である。メディアンフィルタの一部の重要な特性を受信機システムへの使用が好適なことを示すために以下において分析し説明する。
【０１２５】
メディアンフィルタの１つの重要な特性はコヒーレント基準及びノイズの推定誤差の分散を減少させることである。この減少は最初のフィルタに匹敵し、さらに所与の数のサンプル（フィルタタップ）を有する任意のフィルタ（線形または非線形）について推定誤差が最も少ないクラメール・ラオの限界に匹敵する。この推定誤差はこのケースではＡＷＧＮノイズだけにあてはまる。
【０１２６】
コヒーレント基準信号の推定に使用される最初の１１タップ型ＦＩＲフィルタを最初に分析する。この１１個のフィルタタップは、和が１で、直流利得が１となるように規準化される。図２７は単一の基準サブキャリアのコヒーレント基準を推定するための１１タップ型ＦＩＲフィルタを示すグラフである。
【０１２７】
基準サブキャリアにわたる推定値の平滑化に使用されるフィルタを次に説明する。このフィルタは９個のタップ（実効）を有し、これらは和が１で、直流利得が１となるように規準化される。上方または下方のデジタル側波帯の端縁部のサブキャリアに近い所でのフィルタリングはエンドポイントにおけるフィルタスパンが打ち切られるため正確でない。このフィルタを図２８に定義するが、図２８は基準サブキャリアの周波数にわたって使用されるフィルタのグラフを示す。
【０１２８】
推定誤差の減少を次に比較する。ＡＷＧＮにより毀損されたパラメータが一定であると仮定して、入力サンプルの分散に対するフィルタ出力サンプルの分散の比率は下記の規準化されたフィルタ係数の自乗の和に等しい。
2007511980.tif 000016
【０１２９】
１１タップ型ＦＩＲフィルタの分散の減少は０．１２７、即ち約−９ｄＢである。同様に、周波数にわたる９タップ型ＦＩＲフィルタの減少は０．１９６、即ち約−７ｄＢである。これらのフィルタのエラー減少性能をメディアンフィルタ及びクラメール・ラオの限界に匹敵させることができる。
2007511980.tif 000017
【０１３０】
ＡＷＧＮにより毀損された一定の（Ｎタップを有するフィルタのスパンにわたり）パラメータαのサンプルについて、対数公算関数は下記の通りである。
2007511980.tif 000018
【０１３１】
そして、その結果得られる、ＡＷＧＮにおける一定のパラメータのクラメール・ラオの限界はただ下記のようになる。
2007511980.tif 000019
【０１３２】
そうすると、Ｎ個のタップを有するフィルタの理論的な最小分散値はただ入力分散値をタップ数で割算したものである。これは、タップの重みを等しく（均一に）すると最小分散値の推定値が得られることを示唆するが、これはフェージングにはうまく働かない。図２９はコヒーレント基準信号の推定誤差の減少に対するフィルタタイプの影響を示すグラフである。
【０１３３】
メディアンフィルタはエラー分散の増加がＡＷＧＮにおけるクラメール・ラオの限界に比べて約２ｄＢであるが、実際の釣鐘型のＦＩＲフィルタは同数のタップについてメディアンフィルタに近い性能を与える。ガウスノイズよりも後部を鋭く切り取った、あるいはよりインパルス状のノイズ分布では、メディアンフィルタの性能は増加するが線形フィルタの性能は同じである。例えば、ラプラスノイズでは、メディアンフィルタの性能は同数のパットを有する線形フィルタと比べてエラー分散を減少させる３ｄＢも良いものである。もちろん、この新しいケースのクラメール・ラオの限界は均一タップ型ＦＩＲフィルタではもはや到達できない。
【０１３４】
ＡＷＧＮにおけるこれらのフィルタによる性能劣化は、各シンボルの検出時に実際のシンボルノイズ分散にわたるさらに別のノイズ（推定エラー分散）を計算することにより近似可能である。９タップ型周波数スパンフィルタは時間においてメディアンフィルタとして働く１１タップ型ＦＩＲとは独立に使用される。９タップ型周波数フィルタは切換によるステップ応答（時間）に影響を与えない。最初の１１タップ型ＦＩＲフィルタ及び７タップ及び５タップ型メディアンフィルタの損失を表２に示す。
【０１３５】
表２  フィルタ損失
2007511980.tif 000020
【０１３６】
図３０はコヒーレント基準信号のフィルタリングにつき１１タップ型ＦＩＲフィルタとメディアンフィルタとを比較したグラフである。メディアンフィルタを用いるとＡＷＧＮ性能の損失が小さくなると予想されるが、アンテナ切換のステップ応答の改善が図３０のグラフから明白である。ステップ応答は過渡現象の検出を必要とせずとも有意に改善されることに注意されたい。図３１は新しいコヒーレント基準及びノイズ推定処理部の機能図であるが、１１タップ型ＦＩＲフィルタが５タップ型メディアンフィルタに置き換えられている。
【０１３７】
図３１の機能及びアルゴリズムを次に簡単に説明する。図示のプロセスの目標はコヒーレントチャンネルの複素利得の推定値（「ａ」値）をノイズまたは干渉波の推定値と共に提供することである。これらの推定値は移動中の自動車のようなモバイル環境において経験する動的な選択性フェージングチャンネルに配慮して時間と周波数（サブキャリア位置）において局部的である。これらの推定値は、上述したように受信され復調された信号から分離されている基準サブキャリアシンボルから抽出され、ライン２５０上にＳr,n複素値として入力される。これらのシンボルの変調に使用されるデータは既に知られており、第１の共役乗算演算（乗算器２５２により示す）でこれらのシンボルから除去され、ライン２５４上に瞬時複素チャンネル利得値ａ２r,nを与える。その後メディアンフィルタによる時間フィルタリング２５６がアンテナ切換によるステップ状変化を維持しながらノイズを減少させ、ライン２５８上に中間値ａ１r,nを発生させる。これらの中間値は、ブロック２６０に示すように基準サブキャリアにわたりさらに周波数フィルタリングを施され（平滑化）、最終的な複素チャンネル利得値ａr,nを発生させる。これらの利得値ａr,nは、ＱＡＭシンボル復調のために従来の態様でデータを有するシンボルについて信号コンスタレーションを処理する（ブランチメトリック情報を等化し与える）ためにこのアルゴリズムの外側で使用される。
【０１３８】
このプロセスにおける次のステップは、これらの複素チャンネル利得値のそれぞれに関連するノイズを推定することである。瞬時ノイズサンプルは、加算点２６２に示すようにａr,n-2値を適当な遅延を施されたノイズの多い対応の入力サンプルａ２r,n-2から減算することにより推定される。ブロック２６４に示すように、大きさが自乗された値はこれらの複素ノイズサンプルから計算されて、ライン２６６上に瞬時ノイズ分散推定値ｖａｒn-2を与える。これらの瞬時ノイズ分散サンプルは局部的な（時間と周波数）ノイズの正確でない推定値であり、有用なノイズ分散推定値を発生させるための処理およびフィルタリングが必要である。これらの瞬時ノイズ分散推定値の誤差を減少させるために簡単な時間及び周波数におけるフィルタリングが通常使用されるであろうが、このタイプのフィルタリングはフェージング、ＡＧＣ作用及びアンテナ切換によるステップ状変化に起因するノイズの変化に事実上適応しない。従って、メディアンフィルタ２６８を用いてこれらの瞬時分散サンプルを時間フィルタリングすることによりサンプルｖａｒｆｌｔn-16を発生させ、従来型フィルタリング（線形ＩＩＲまたはＦＩＲフィルタ２７０）を用いて周波数（サブキャリア）にわたりさらに平滑化して上述の複素チャンネル利得推定値と同様な態様で最終的な分散推定値σ2r,n-16を発生させる。アンテナ切換により生じる比較的大きなノイズインパルスを捕捉するために別のフィードフォーワードパス２７２が設けられている。これらの値（ブロック２７４で示すように係数０．５によりスケーリングされている）がメディアンフィルタによる推定値を超える場合、ブロック２７６に示す最大選択機能によりこれらの大きな値が周波数平滑フィルタへ出力するために選択される。その後、これらの値はブロック２７８で示すように基準サブキャリアにわたり平滑化される。これは大きなノイズインパルスのこの知識を利用するブランチメトリックを後で形成するにあたり重要である。
【０１３９】
上述したコヒーレント基準推定におけるアルゴリズムの改善の分析およびシミュレーションは分析されシミュレーションされるケースにとって充分うまくいくように思える。これらのケースは、ドップラー帯域幅がハイウェイ速度と調和し、ノイズが信号対ノイズ比で０ｄＢのように小さい、フラットな選択性フェージングチャンネルを含む。しかしながら、インパルスノイズ、または新しいコヒーレント基準処理では完全に抑制されない残留過渡現象のような他のチャンネル状態を考察する必要がある。この場合、調整されたコヒーレント基準値ｘは適当であるが、ノイズ分散推定値は毀損されているであろう。ノイズインパルスはインパルスが発生したところのシンボルについては大きい場合があるが、ＩＩＲフィルタはインパルスの瞬間にこのノイズ分散値を抑制し、ノイズ推定値をＩＩＲフィルタのインパルス応答時間にわたり分散させる。この場合、ＩＩＲパスと並列に（適当な遅延の整合を行うことにより）大きいノイズサンプルをフィードフォーワードするのが好ましい。ノイズパルスがＩＩＲフィルタ出力より十分に大きいシンボルについては、それらのシンボルのノイズ分散推定値を求めるためにこのノイズパルスを用いる必要がある。これらのノイズパルスにフィードフォーワードパスが用いられると、これらのサンプルについてＩＩＲフィルタに流れ込むエネルギーを減少させてノイズの局部ピークがＩＩＲフィルタのスパンに広がらないようにする必要がある。ノイズ分散推定におけるノイズのピークを取り扱うこのプロセスの幾つかの変形例を考慮するのは容易である。
【０１４０】
ノイズ分散推定プロセスは、切換による過渡現象に対する性能を改善し、高速のＡＧＣに適応するように修正される。最初のノイズ推定プロセスは、パラメータがａ＝１／１６（複素チャンネル利得の添字を付したａr,n値の表示と混合すべきでない）である２極ＩＩＲフィルタを用いていた。このフィルタのインパルス応答のピークは８個のサンプル（シンボル）だけ遅延した所にあったが、減衰尾部はそれよりも非常に長くステップ遅延が１６サンプル（シンボル）に近い値になった。図３２は新しい修正によりＩＩＲフィルタのパラメータがａ＝１／８に変化することを示す。ノイズの推定に対する他の修正例は周波数フィルタリングをＩＩＲフィルタの前からＩＩＲフィルタの後に移すことを含む。ＩＩＲフィルタの前には７タップ型メディアンフィルタがあり、このＩＩＲフィルタは過剰ノイズフィードフォーワードパスを含む。これらの新しい付加部分は受信機のフロントエンドまたはＩＦ部における高速のＡＧＣ機能に配慮すると共に切換による過渡現象及びインパルスのようなノイズにより良く対処するように設計される。
【０１４１】
７タップ型メディアンフィルタは、線形ＩＩＲによるフィルタリング及び周波数にわたる（基準サブキャリア）フィルタリングの前にノイズが自乗されたサンプルを予め処理するために使用される。この場合、メディアンフィルタはノイズを自乗したサンプルの非対称確率密度関数（ｐｄｆ）の性質による分散のバイアスをかけた推定値を発生させる。このバイアスはノイズ推定プロセスにおいて後続の動作のために調整可能である。詳述すると、メディアンフィルタへの各入力サンプルｘは平均が０のガウスノイズサンプルの１対の（複素）自乗の和よりなると想定される（ｘ＝ｖ2＋ｗ2）。ノイズサンプルｕ及びｖのガウスｐｄｆは下記の通りである。
2007511980.tif 000021
【０１４２】
ｘの累積分布関数は以下のように変数を変化させ積分を行うと見つけられる。
2007511980.tif 000022
【０１４３】
その場合、ｘの電力密度関数（ｐｄｆ）がＰ（ｘ）を微分することにより抽出される。
2007511980.tif 000023
【０１４４】
ノイズ分散はｘの平均として定義される。
2007511980.tif 000024
【０１４５】
ｘの中央値は下式においてｍｅｄｘを解くことにより見つけられる。
2007511980.tif 000025
【０１４６】
中央値の推定バイアス係数は平均値に対する中央値の比率として見つけることができる。
2007511980.tif 000026
【０１４７】
従って、中央値はガウスノイズの分散を係数ｌｎ（２）だけ過小評価する。このバイアスはノイズ分散推定プロセスにおいて平均推定値にとって代わる時に考慮する必要がある。
【０１４８】
中央値バイアス係数によるノイズ推定値のスケーリングは、ビタビ復号器に提供される全てのシンボルの全てのノイズ推定値が同じ係数でスケーリングされる場合は一般的に問題とならないであろう。しかしながら、フィードフォーワード過剰ノイズ推定パスはスケーリングが問題になる一例にすぎない。さらに、ブランチメトリックの形成（例えば、固定小数点量子化及びけたあふれ）における非線形性も影響を及ぼす場合がある。
【０１４９】
分散推定プロセスにおけるＩＩＲフィルタの時定数を減少する効果について次に説明する。２極ＩＩＲフィルタの各出力サンプルｙnは新しい入力サンプルｘnと前の２つの出力との関数である。
2007511980.tif 000027
【０１５０】
フィルタ式の直流利得は１であり、そのインパルス応答（時間）はパラメータａに依存する。インパルス応答（モード）のピークはグループ遅延の半分の時間で生じるが、グループ遅延はステップ応答時間をよく示すものである。平均遅延及びモード遅延はパラメータａの関数として計算可能である。図３２及び３３はａ＝１／１６及びａ＝１／８についてＩＩＲフィルタのインパルス及びステップ応答を示す。図３２はＩＩＲフィルタのインパルス応答のグラフであり、図３３はＩＩＲフィルタのステップ応答のグラフである。
【０１５１】
フィルタの実効遅延は少なくともモード遅延であって、グループ遅延より小さいものであってはならない。この遅延はブランチメトリックの形成にあたりノイズ推定値を適用する時に適切に補償する必要がある。
2007511980.tif 000028
【０１５２】
ガウスノイズの抑制能力は、入力から出力へのノイズ推定値の分散の減少が規準化されたフィルタ係数（直流利得＝１）の自乗の和に等しいＦＩＲフィルタと同じ態様で評価することができる。この分散の減少はノイズ電力の分散の減少でなくてノイズ分散の推定値のエラー分散に関連があることに注意されたい。ＩＩＲフィルタでは、この計算は連続スペクトルに近づく大きなＮの限界をとった後、パーセバルの理論を適用することにより、フィルタのインパルス応答のｚ変換に対して実行すると便利である。ＩＩＲフィルタのｚ変換は下記の通りである。
2007511980.tif 000029
【０１５３】
そしてその大きさは下記の通りである。
2007511980.tif 000030
【０１５４】
入力から出力サンプルへの分散減少係数は下記のように計算できる。
2007511980.tif 000031
【０１５５】
限界において、加算は下記のように積分することができる。
2007511980.tif 000032
【０１５６】
そうすると、分散減少係数は積分した後のＩＩＲフィルタパラメータαの関数となることがわかる。
2007511980.tif 000033
【０１５７】
ＩＩＲフィルタにより得られるＡＷＧＮの分散の減少を図３４においてパラメータａに対してプロットした。図３４はＩＩＲフィルタパラメータａの関数としてノイズ推定値の誤差が減少する態様を示すグラフである。
【０１５８】
周波数にわたるフィルタリングによりＡＷＧＮについてさらに７ｄＢノイズが減少する。ＡＷＧＮ定常チャンネルでは、ノイズ推定誤差を減少させるにはＩＩＲの時定数は長い方がよいが、切換による過渡現象があり、そして／またはＡＧＣが高速である非定常チャンネルでは時定数は短い方が好ましいであろう。本発明のシステムでは、７タップのメディアンフィルタの後にａ＝１／８のＩＩＲフィルタを設けた方がａ＝１／１６のＩＩＲフィルタを一個用いる最初の設計より好ましい。この新しいフィルタリングによると、定常ＡＷＧＮチャンネルにおける劣化が最小限に抑えられると共にＡＧＣが高速でダイバーシティアンテナ切換の過渡現象が存在してもフェージングにおける性能が有意に改善される。単一のＩＩＲフィルタと周波数フィルタに生じるノイズ推定誤差はフィルタへの単一のノイズサンプル入力の分散よりほぼ２２ｄＢ良好である。このため、フィルタ入力のノイズ分散の標準偏差が約８％、あるいは８％のノイズ分散推定誤差が生じる、即ち、１５０個のノイズサンプルにわたり平均したものと等化となる。これはビタビ復号器により使用されるブランチメトリックがＡＷＧＮにおいてほぼ０．３３ｄＢだけ劣化するのと同じ効果がある。縦続７タップ型メディアンフィルタはこの誤差をさらに減少させるが、ＡＷＧＮにおけるこの効果の計算は容易でない。これはａ＝１／１６の元のモデムにおけるほぼ０．１６ｄＢの劣化に匹敵する。しかしながら、新しいノイズの推定に対する動機は非ＡＷＧＮ状態のためのものである。
【０１５９】
純粋なＡＷＧＮチャンネルでは最適な受信機はフィードフォーワード過剰ノイズパスを決して選択せず、最適なノイズフィルタは線形（例えば、ＩＩＲまたはＦＩＲ）であって、長期間のスパンを有する。この過剰ノイズパスは、インパルスのようなノイズまたは切換による過渡現象などによるコヒーレント基準誤差を取り扱うためのみに提供される。これらのケースでは、過剰ノイズパスはＩＩＲフィルタにより与えられる長期間の分散推定値を汚染することなく、時々生じる大きなノイズバーストの効果を緩和する。フィードフォーワード過剰ノイズパスはＧ*ｌｎ（２）によりスケーリングされ、ノイズ入力サンプルの一部が平均値を超え、ノイズ推定パスにおいて「ＳＥＬＥＣＴ  ＭＡＸ  ＩＮＰＵＴ」機能により選択される。スケーリングが小さければ過剰ノイズパスの選択はそれほど頻繁でなく、ＡＷＧＮケースの損失は最小限に抑えられるであろう。過剰パスが選択される確率は過剰サンプルが平均値を超える（正確な平均フィルタを想定して）確率にほぼ等しい。
2007511980.tif 000034
【０１６０】
過剰パスの選択によるノイズ推定分散の平均増加係数（ｄＢ）は下記のように計算可能である。
2007511980.tif 000035
【０１６１】
図３５は過剰パスを選択する確率及び平均ノイズ分散推定値の増加に対する過剰利得値Ｇ*ｌｎ（２）の影響を示すグラフである。Ｇ*ｌｎ（２）＝０．５の値は過剰ノイズ利得について合理的妥協をした値であることが実験的に確かめられている。この値はＡＷＧＮケースの最小損失を与えるが、切換による過渡現象による損失を最小限に抑える効果がある。さらに、ＡＧＣが高速であり、そして／または第１の隣接するＦＭ干渉波がある場合の性能が改善される。
【０１６２】
残留コヒーレント推定誤差とノイズ分散推定値の両方に対する修正の効果を図３６乃至４０に示す。図３６は最初の１１タップ型ＦＩＲフィルタと、ａ＝１／１６の最初のＩＩＲノイズ推定フィルタとによるノイズ推定値（信号対ノイズ比１０ｄＢ）に対する切換による過渡現象の影響を示すグラフである。図３７は最初の１１タップ型ＦＩＲフィルタと、ａ＝１／８に修正されたＩＩＲノイズ推定フィルタとによるノイズ推定値に対する切換による過渡現象の影響を示すグラフである。図３８は最初の１１タップ型ＦＩＲフィルタによるノイズ分散の修正が適用された時のノイズ推定値に対する切換による過渡現象の影響を示すグラフである。図３９は５タップ型メディアンフィルタと、ａ＝１／８に修正されたＩＩＲノイズ推定フィルタとによるノイズ推定値（信号対ノイズ比１０ｄＢ）に対する切換による過渡現象の影響を示すグラフである。図４０はノイズ分散修正が適用された時の５タップ型メディアンフィルタによるノイズ推定値に対する切換による過渡現象の影響を示すグラフである。
【０１６３】
修正の種々の部分を導入すると図３７乃至４０のグラフが得られるが、図４０は全ての修正の最終結果を示す。図３６はコヒーレント基準ノイズ及びノイズ推定誤差の点の最初のモデムの性能を示す。この図はノイズの推定において捕捉されない切換の過渡現象による比較的高い値のノイズを示す。このノイズのピークは過小評価され、ピーク近くの推定値はＩＩＲフィルタの平滑化により過大評価される。
【０１６４】
図３７はＩＩＲフィルタの時定数の減少により小さな改善が得られることを示す。図３８は過渡現象による実際のノイズは依然として大きいがノイズの推定に有意の改善が得られることを示す。図３９はノイズの推定では過渡現象によるピークは捕捉されないが５タップ型メディアンフィルタを使用するとコヒーレント基準のノイズ過渡現象に有意な改善が得られることを示す。
【０１６５】
図４０は、ノイズの推定により短い過渡現象の持続時間が捕捉されるがコヒーレント基準ノイズの減少に至る全ての改善を示す。ノイズ分散推定値にはグラフから幾分ノイズが多いように思えるが、パラメータの選択によりテストされるシナリオ範囲にわたって最良の性能の妥協が得られた。
【０１６６】
本発明は、ＨＤラジオシステムのＦＭハイブリッドモードについてＦＭダイバーシティアンテナ切換装置が遭遇する切換による過渡現象に対処するための改良である。これらの改良はコヒーレントトラッキング及びノイズ分散推定アルゴリズムの修正を含む。新しいアルゴリズムは典型的なハイウェイ速度でのフラットで選択性のあるフェージング及びレイリーのフェージングにおいて分析されシミュレーションされた。これらのシミュレーションはコヒーレントトラッキング性能及びノイズ推定が良好なことを示す。これらの改良により高速ＡＧＣ、ダイバーシティアンテナ切換、第１の隣接するＦＭ干渉波及び極限的な選択性フェージング環境において有意に良好な性能が提供された。
【０１６７】
新しい基準受信機のソフトウェア（ダイバーシティアンテナ切換を取り扱うように改良された）の実験室でのテストが完了している。最終的なバージョンは一部の重要なフェージング及び干渉波の環境において受け入れ可能な性能を与えるように思える。図４１はＳＲＦフェージングにおける性能を示し、図４２はＵＦフェージングにおける性能を示す。
【０１６８】
図４３は本発明による信号処理が可能なラジオ受信機３１４のブロック図である。ＨＤラジオ信号はアンテナ３１６で受信される。バンドパスプレセレクトフィルタ３１８は周波数ｆcの所望の信号を含む対象となる周波数バンドを通過させるが、周波数（ｆc−２ｆif）（下側波帯のインジェクション局部発振器）のイメージ信号をリジェクトする。低ノイズ増幅器３２０はこの信号を増幅する。増幅された信号はミキサー３２２において、同調可能な局部発振器３２６によりライン３２４に供給される局部発振器信号ｆloと混合される。これによりライン３２８上に和信号（ｆc＋ｆlo）と差信号（ｆc−ｆlo）が生じる。中間周波数フィルタ３３０は中間周波数信号ｆifを通過させ、対象となる変調信号の帯域幅の外側の周波数成分を減衰させる。アナログ−デジタルコンバータ３３２はクロック信号ｆsを用いてライン３３４上にレートｆsのデジタルサンプルを発生させるように動作する。デジタルダウンコンバータ３３６はその信号の周波数シフト、フィルタリング及びデシメーションを行ってライン３３８、３４０上に低サンプリングレートの同相及び直角位相信号を発生させる。そして、デジタル信号プロセッサ３４２は上述したコヒーレントトラッキングを含むさらに別の信号処理を行ってライン３４４上に出力装置３４６のための出力信号を発生させる。
【０１６９】
図４４は基準サブキャリアから位相基準とＣＳＩの両方を推定する別の方法を示す。図４４に示すように、基準サブキャリアにより運ばれる複素トレーニングシンボルはライン３４８上に入力され、ブロック３５０に示すようにそれらのシンボルの複素共役が取り出される。複素共役は乗算器３５４によりライン３５２上の既知のトレーニング系列と乗算される。これにより、受信トレーニングサブキャリアに同期、復号及び再差動符号化されたＢＰＳＫタイミング系列が乗算され、受信トレーニングサブキャリアからバイナリ（±１）タイミング系列変調分を除去される。その結果ライン３５６上に生じるシンボルを有限インパルス応答（ＦＩＲ）フィルタ３５８により処理して時間にわたり平滑化し、ライン３６０上に局部位相及び振幅の複素共役推定値を発生させる。この値を時間遅延３６２により遅延した後、乗算器３６６によりライン３６４上のノイズ分散値の逆数の推定値により乗算する。ノイズの分散はライン３６０上の局部位相及び振幅の平滑化された推定値を加算点３７０において入力シンボルから減算する（遅延手段１６８により与えられる適当な時間調整の後）ことにより推定される。その後、ブロック３７２で示すようにその結果を自乗し、ブロック３７４で示すように複素ノイズサンプルにフィルタリングを施す。その逆数はブロック３７６で示すように近似される（０による割算に対する保護）。このＣＳＩ重みはブロック３７８で示すように隣接するトレーニングサブキャリア対の間において１８個のサブキャリアにわたり補間してライン３８０上に局部ＣＳＩ重みを発生させる。その後、ＣＳＩ重みは、ブロック３８４で示すように適当な遅延を与えられた後、ライン３８２上で受信される対応の局部データシンボルに乗算するために使用される。その後、乗算器３８６はライン３８８上に軟判定出力を発生させる。
【０１７０】
図４４において、トレーニングシンボルを運ぶラインをＴで、データを運ぶラインをＤで示す。さらに、フィルタ３７４の遅延は下記の通りである。
2007511980.tif 000036
【０１７１】
これらの式は時定数βを有する２極ＩＩＲフィルタに関する。ＩＩＲフィルタは入力サンプル「ｘ」と、前の出力サンプルから平滑化された出力サンプル「ｙ」を計算する。
【０１７２】
ＣＳＩ重みは最大比の組み合わせ（ＭＲＣ）のための振幅の重み付けをチャンネル位相誤差のための位相の訂正と組み合わせる。このＣＳＩ重みは時間と周波数にわたって動的であり、各ＱＰＳＫシンボルにつき推定される。
2007511980.tif 000037
【０１７３】
上式において、α＊はチャンネル利得の複素共役の推定値、τ2はノイズの分散の推定値である。
【０１７４】
図４４のＣＳＩ復元方法の動作は、サブキャリアの周波数及びＯＦＤＭシンボルのシンボルタイミングの捕捉及びトラッキングを想定している。周波数及びシンボルタイミングの捕捉技術はサイクリックプレフィックスの特性を利用する。周波数及びシンボルトラッキングは時間または周波数（サブキャリア）にわたりシンボルからシンボルへの位相ドリフトを観察することにより行われる。
【０１７５】
周波数とシンボルタイミングの両方を捕捉した後、ＢＰＳＫタイミング系列のブロック同期パターンへの同期は差動検波したＢＰＳＫ系列をブロック同期パターンと相互相関することにより試みられる。差動検波はトレーニングサブキャリアの位置が最初わからないと仮定して全てのサブキャリアにわたって行われる。既知のブロック同期パターンと各サブ゛キャリアの検出されたビットとの相互相関が行われる。ブロック同期パターンの１１個全てのビットのマッチングが検知されるとサブキャリアの相関が宣言される。サブキャリアの相関数がしきい値基準（例えば、１９個のサブキャリアの倍数だけ離隔した４つのサブキャリア相関）を満足するかまたはそれを超えるとブロック同期（そしてサブキャリアあいまい性の解消）が確立される。
【０１７６】
ブロック同期が確立された後、ＢＰＳＫタイミング系列の変数フィールドを復号することができる。これらの変数フィールドの差動検波ビットは、トレーニングサブキャリアまたはビットのうちの一部が毀損している時でも復号が可能なようにトレーニングサブキャリアにわたって多数決方式で判定される。各モデムフレーム内の１６個のブロックには順次０から１５の番号が付されている。そうすると、ブロックカウントフィールドの最上位（ＭＳＢ）は、ブロックカウントは決して１５を超えないため常に０にセットされる。モデムフレームの同期がブロックカウントフィールドを知ることにより確立される。
【０１７７】
この信号のコヒーレント検波を行うにはコヒーレント位相基準が必要である。ＢＰＳＫタイミング系列からの復号情報を用いることによりトレーニングサブキャリアから変調分を除去すると、局部位相基準及びノイズに関する情報が残る。図４４を参照して、バイナリ（±１）タイミング系列変調分は、受信したトレーニングサブキャリアに同期、復号及び再差動符号化したＢＰＳＫタイミング系列を乗算することにより受信トレーニングサブキャリアから最初に除去される。その結果得られるシンボルをＦＩＲフィルタを用いて時間にわたり平滑化すると局部位相及び振幅の複素共役推定値が得られる。この値を遅延し、ノイズ分散の逆数の推定値に乗算する。ノイズ分散は局部位相及び振幅の平滑化された推定値を入力シンボルから減算し（適当な時間調整を行った後）、複素ノイズサンプルを自乗し、フィルタリングを施した後、その逆数を（０による割算に対する保護）近似することにより推定される。このＣＳＩ重みは隣接するトレーニングキャリア対の間において１８個補間される。その結果得られるＣＳＩ重みを用いて対応の局部データシンボルを乗算する。
【０１７８】
一実施例において、図４４のローパスフィルタ３５８は１１タップ型ＦＩＲフィルタである。この１１タップ型ＦＩＲフィルタは各シンボル時間につき各基準サブキャリア位置において複素コヒーレント基準利得αを動的に推定するために使用される。１１タップ型ＦＩＲフィルタによる時間フィルタリング及びそれに続くサブキャリアのフィルタリングは時間と周波数の両方にわたりＱＰＳＫシンボル位置についてコヒーレント基準利得αの局部推定値を計算するために実行される。タップの多い大型のＦＩＲフィルタの使用により信号統計量が定常状態にあると推定誤差が減少するが、その帯域幅は最大のハイウェイ速度で信号にドップラー効果により導入される変化を追跡するには小さすぎるであろう。従って、テイパーのあるガウスのような対称的なインパルス応答を有する１１タップ型が適当である。対称的なＦＩＲフィルタは、フィルタのスパンにわたり一部がほぼ線形なチャンネルフェージング特性ではバイアスエラーがゼロであるその線形位相特性によりＩＩＲフィルタの代わりに使用される。ＦＩＲフィルタのこの平滑化コヒーレント基準信号出力を遅延された入力サンプルから減算して瞬時ノイズサンプルを発生させる。これらのノイズサンプルをＩＩＲフィルタ３７４により自乗し処理してノイズ分散の推定値α2を得る。このフィルタはノイズ分散の一般的により正確な推定値を得るためにＦＩＲフィルタよりも狭い帯域幅を有する。フィルタ遅延にマッチさせるための適当なサンプル遅延の後、シンボル重みα＊σ2を各サブキャリアについて計算する。これらの値を各ＯＦＤＭシンボルについてサブキャリアにわたり平滑化し補間してより正確な推定値を得る。この重みは各ＯＦＤＭシンボルにつき一義的であり、各サブキャリアは後続のビタビ復号器のためのブランチメトリックを形成するシンボルの局部（時間及び周波数）推定値及び重みを与える。
【０１７９】
図４４のシステムは固定アンテナを有する車両に配慮した設計であった。チャンネル状態情報（ＣＳＩ）の捕捉、トラッキング、推定及びコヒーレント動作のための基準サブキャリアの多数の役割について説明した。このシステムはハイウェイ速度での車両に配慮してフェージング帯域幅を有するＦＭ放送バンド（８８−１０８ＭＨｚ）におけるコヒーレント動作を行わせるように設計されていた。種々のコヒーレントトラッキングパラメータは予想される最大のドップラー帯域幅（ほぼ１３Ｈｚ）に近似する帯域幅を有するフィルタを用いて推定される。固定アンテナでは、トラッキングアルゴリズムへの入力信号の関連あるトラッキング統計量はドップラー帯域幅よりも大きくないレートで変化すると想定する。
【０１８０】
ＩＢＯＣ ＨＤラジオ受信機はダイバーシティアンテナ切換装置と組み合わせて用いることができる。しかしながら、ダイバーシティ切換アンテナを使用するとデジタル信号のコヒーレントトラッキングにより厳しい過渡現象が導入され、これがデジタル性能を劣化させる。
【０１８１】
本明細書で用いる用語ＱＰＳＫシンボルの「複素コヒーレント基準利得（α）」（動的であるため時間／周波数位置に依存する）をαと定義する。これは複素項であり、それに関連するシンボルの利得及び位相を表す実数成分と虚数成分を含む。この値は上述した処理及びフィルタリングにより推定される。複素コヒーレントチャンネル基準信号ｘnは任意１つのＯＦＤＭシンボル時間にわたる全ての基準サブキャリアにわたるαの複合値である。
【０１８２】
この例のために、ダイバーシティ切換モジュールの切換時間は１０マイクロ秒のオーダーであり、一方、最小休止時間は１０ミリ秒のオーダーであると想定することができる。１０マイクロ秒の切換時間は復調されたＦＭ信号には何の音声上の影響を及ぼさないが、信号のフェージングが回避されるためＦＭダイバーシティによる全体的な改善は実質的なものでありうる。しかしながら、切換による過渡現象はコヒーレントトラッキングを受けるデジタル信号に悪い影響を与える。図２３に示すように、アンテナモジュールの切換によりコヒーレント信号にステップ状の過渡現象が生じるが、その過渡現象の直前または直後の信号はほぼコヒーレントである。ステップ状の過渡現象にわたってＦＩＲフィルタによりフィルタリングを行うと、コヒーレントチャンネル基準推定値αが歪み（図４４で示す）、ＦＩＲの長さ（１１タップ）に等しいサンプルのスパンが影響を受ける。コヒーレントチャンネル基準のこの歪みにより入力サンプルからこの基準を減算して得たノイズサンプルの大きさが増加する。ノイズは過渡現象の近辺で増加するが、ＩＩＲフィルタはこのノイズのピークをＩＩＲフィルタのスパンにわたって分散させる。これは過渡現象のすぐ近くではノイズの分散を過小評価する効果があるが、過渡現象のすぐ近くでないＩＩＲフィルタの時間スパンにわたるノイズの分散を過大評価する効果がある。歪んだコヒーレントチャンネル基準及びノイズ分散誤差は共にデジタル信号の劣化に寄与する。本発明はダイバーシティアンテナ切換装置において切換による過渡現象に対処するコヒーレントトラッキング法を提供する。
【０１８３】
図４５はノイズ推定値（信号対ノイズ比が２０ｄＢ）に対する切換による過渡現象の影響を示すグラフである。ライン４３８はＩＩＲフィルタへのノイズサンプル入力であり、ライン４４０はフィルタリング済み出力である。入力ノイズサンプル（自乗済み）は過渡現象のすぐ近くで増加することがわかる。これは実際、１１タップ型ＦＩＲフィルタによるコヒーレントチャンネル基準の歪みによるものである。ＩＩＲ出力はノイズのピークに応答するが、これらのピークは過渡現象に対して局部的に抑制されるものの、ＩＩＲフィルタの持続時間にわたって分散される。局部ノイズ分散推定のこれらの誤差はデジタル性能の劣化に寄与する。
【０１８４】
図４６は、本発明に従ってコヒーレント基準が固定された状態のノイズ推定値（信号対ノイズ比が２０ｄＢ）に対する切換による過渡現象の影響を示すグラフである。ライン４４２はＩＩＲフィルタへの入力であり、ライン４４４はフィルタリング済み出力である。図４６は図４５と同じシナリオである。しかしながら、コヒーレントチャンネル基準は本発明に従って訂正される。ＩＩＲフィルタによるフィルタリングまたはノイズ分散の推定に関しては何の変化もない。
【０１８５】
コヒーレントトラッキングは図２４に示すように切換による過渡現象の両側（時間）で行うことができる。図４７はコヒーレントチャンネル基準信号の発生を説明する機能ブロック図である。多数の基準サブキャリアからの復調された複素シンボルはライン４５０、４５２、４５４上に入力される。これらの複素シンボルはミキサー４５８、４６０、４６２において既知の基準系列共役４５６と結合され、基準サブキャリアシンボルからデータが除去される。ＦＩＲフィルタ４６４、４６６、４６８はノイズを減少させるために各複素サブキャリア利得値にフィルタリングを施す。ＦＩＲフィルタは例えば７タップ型フィルタでよい。ブロック４７０は、推定値のノイズをさらに減少させるためにサブキャリア利得値が基準サブキャリアにわたり平滑化されることを示す。これにより、ライン４７２、４７４、４７６上に各サブキャリアのコヒーレントチャンネル基準利得が生じる。これらのコヒーレントチャンネル基準利得は加算点４７８で加算され、ライン４８０上に複合コヒーレントチャンネル基準信号ｘnを発生させる。
【０１８６】
コヒーレント推定フィルタは過渡現象にまたがる信号サンプルを使用できないため、トラッキングフィルタは何れかの時間方向から過渡現象に至るまで（過渡現象は含まない）の信号サンプルだけを利用することができる。信号の過渡現象の時間位置を識別する必要がある。理論的には受信機のモデムへ切換の瞬間を明確に伝えることができるはずであるがこれは一般的に実際的でない。モデムがコヒーレントトラッキングアルゴリズム内で過渡現象を高い信頼度で検知するのが好ましい。コヒーレントトラッキングアルゴリズムは、過渡現象が生じるところのシンボルを除き過渡現象のすぐ近くにおいてほぼコヒーレントなトラッキングを行うように過渡現象の近くで修正することができる。ノイズ分散推定値の誤差がコヒーレントチャンネル基準の誤差によることを知るのは価値がある。従って、ノイズ分散推定値はコヒーレントチャンネル基準が正確であれば修正の必要はない。
【０１８７】
アンテナ素子の切換によるステップ状過渡現象を「ブラインド」即ち、盲目的に検出する必要がある。盲目的な検出とは、アルゴリズムが復調されたモデムシンボルを観察するが、ダイバーシティ切換モジュールにおいて始動される切換時間を直接知らないことを言う。この方法は、図４７にｘで表示し、この説明ではＯＦＤＭシンボルレート（即ち、約３４４．５ＯＦＤＭシンボル／秒）である平滑化されたコヒーレント基準信号トラッキングサンプル（αの複素フィルタリング済み値）の処理を含む。複素チャンネル利得値αは各ＯＦＤＭシンボルにつきｘの複合複素値を発生させるために全ての基準キャリアにわたり集合される。
【０１８８】
過渡現象（約３０マイクロ秒の持続時間を持つことがあり得る）はシンボル時間と比べると非常に短く、この過渡現象はただ１つのシンボルの間に生じると仮定する。過渡現象の両側のシンボルは過渡現象により有意に毀損された状態にあり、コヒーレントトラッキング及び推定には使用できない。しかしながら、過渡現象からＦＩＲのスパンの半分以内（例えば、１１タップ型ＦＩＲフィルタでは５サンプル、７タップ型ＦＩＲフィルタでは３サンプル以下）の所にあるシンボルはコヒーレント基準を推定するフィルタリングによる影響を受ける。これは、過渡現象の影響が及ぶスパンを最小限にするためにＦＩＲフィルタが実際に１１タップから７タップに減少された場合のｘの複素実数及び虚数成分（実線部分）を示す図２４に明確に示されている。ＦＩＲフィルタを７タップに減少するとノイズにわたりフィルタ利得をわずかに減少させる効果があるが、過渡現象に対する応答が改善される。
【０１８９】
図４６は、コヒーレント基準がαについて過渡現象の前の値から過渡現象の後の値に移行する場合の過渡現象の±３シンボル内のコヒーレントトラッキングの歪みを示す。過渡現象を検出する１つの方法は過渡現象を検出すべき問題のシンボルの両側におけるｘのサンプルの仮説試験を含む。換言すれば、過渡現象をシンボル位置ｎで検出すべき場合、サンプルｘn-1とｘn+1を観察する。この仮説試験は連続する各シンボル位置につき継続され、後で調整される信号処理アルゴリズムにおいて適当な遅延を施すことによりｘの過去及び将来のサンプルを観察できると仮定する。ｘn-1及びｘn+1の値が十分に異なる（即ち、非コヒーレントである）時過渡現象が検出されると仮定する。この差の幾つかの検出形式を分析し、シミュレーションしフェージングチャンネルにおいて比較した。複素値の単なる差（ｘn-1−ｘn+1）またはこの差の大きさ｜ｘn-1−ｘn+1｜は、この差はその瞬間に信号の大きさによりスケーリングされ、その差のピークを示さないため過渡現象の位置を捕捉するには不十分である。しかしながら、この差は、過渡現象が存否を試験するためにピークが検出された後その大きさにより逆方向にスケーリングすることができる。種々の検出基準の形式は有効でありうるが、この例ではそれらの大きさの自乗をその大きさの代わりに用いて平方根の計算を回避する。過渡現象の位置を検出する以下の３つのステップより成るアルゴリズムがノイズの多いフェージングチャンネルにおいて有効であることが判明しており、サンプルｘnの系列につき比較的簡単に計算できる。
2007511980.tif 000038
【０１９０】
ピーク及び過渡現象の検出式はｘの将来の値を含むため、diffsqを次の２つの式の前に１サンプル計算すると便利である。thresの典型的な値は０．０５である。図４８及び４９は過渡現象検出出力の一例を示す。図４８は８００個のＯＦＤＭシンボルについての過渡現象アルゴリズムの結果を示す。図４９はシンボル２００近くの過渡現象検出アルゴリズムの結果を示す。これらの図はフィルタリング済みチャンネルコヒーレント基準αの実数値４８４及び虚数値４８２と、過渡現象検出時のインパルス４８６を示す過渡現象検出結果とを示す。図４９はシンボル２００の周りのレンジを拡大したものである。しきい値が性能に与える影響が最小である過渡現象にまたがる小さな差には敏感でないため過渡現象がシンボル６００において検出されなかったことを注意されたい。しかしながら、このしきい値の値は信号対ノイズ比が約０ｄＢまでの値でよく働く。
【０１９１】
過渡現象を高い信頼度で検出できることになった以上、次のステップは過渡現象のすぐ近くにおいてコヒーレント基準サンプルαを調整することである。比較的簡単な解決法は過渡現象が検出されるシンボルを含む過渡現象に近いαの値を無視することである。これらの値をＦＩＲフィルタによる影響のない最も近いαの値（７タップ型ＦＩＲフィルタでは４サンプル）により置き換える。これにより図２４に示す鎖線グラフの結果が出る。検出された過渡現象の近くの系列の一例を表３に示す。表３は過渡現象がシンボル位置ｎで検出される場合のαの入力値及びαの訂正出力値を示す。この入力サンプルはシンボルとして次々に移動される。しかしながら、αの訂正出力系列は上述したようにＦＩＲフィルタによる歪みを最小限に抑えるように調整される。
【０１９２】
表３．シンボル位置ｎにおいて検出された過渡現象の近くにおける
複素チャンネル利得α（各基準キャリアの）の訂正
2007511980.tif 000039
【０１９３】
適当な論理とｘ個のサンプルのスパンのバッファを有する簡単なアルゴリズムを用いて表３の結果を得ることができる。αに用いる７タップ型ＦＩＲフィルタでの動作は下記の通りである。過渡現象が問題のシンボルの前方の３つのシンボル（例えば、ｎ−３乃至ｎ−１）内で検出されると、現在のαの値を使用せずに過渡現象の４シンボル前方のαの値（αn-4）を用いる。同様に、過渡現象が過去の３つのシンボル（例えば、ｎ＋１乃至ｎ＋３）で検出された場合、現在のαの値を用いずに過渡現象の４シンボル後のαの値を用いる。この現在のシンボルが検出された過渡現象の位置（例えばｎ）である場合、過渡現象の両側の±４シンボルのαof個のサンプルの平均（αn-4＋αn+4／２）を用いる。そうでなければ、αｎｏ現在の入力値（例えば、ｎ−５乃至ｎ−４及びｎ＋４乃至ｎ＋５）を用いる。もちろん、このアルゴリズムの詳細部分を異なるＦＩＲフィルタスパンに適用するために調整することが可能である。図５０は、検出された過渡現象の近くのコヒーレントチャンネル利得値αの訂正を示す機能図である。図５０において、各サブキャリアのまだ訂正されていないコヒーレントチャンネル利得はライン５００、５０２、５０４上に入力される。これらの入力は加算点５０６で加算されライン５０８上に複合コヒーレントチャンネル基準を発生させる。過渡現象検出器５１０は複合コヒーレントチャンネル基準中において過渡現象を検出する。その後、まだ訂正されていないコヒーレントチャンネル利得はブロック５１２に示すように検出された過渡現象の近くで調整される。これによりライン５１４、５１６、５１８上に各基準サブキャリアの訂正済みコヒーレントチャンネル利得が発生する。
【０１９４】
改良型アルゴリズムの分析及びシミュレーションは分析及びシミュレーションしたケースにとって十分にうまく働くように思える。これらのケースは、ドップラー帯域幅がハイウェイ速度に調和しノイズが信号対ＳＮ比で０ｄＢのような小さい、フラットで選択性のフェージングを含む。しかしながら、他のチャンネル状態を考察する必要がある。例えば、インパルスのようなノイズは過渡現象を誤って検出する原因となりうる。この場合、ｘの調整済みコヒーレント基準値を用いるのが適当である。しかしながら、ノイズ分散推定値は毀損される。ノイズインパルスはそれが発生する所のシンボルでは非常に大きいが、ＩＩＲフィルタがインパルスの瞬間にこのノイズ推定値を抑制し、ＩＩＲフィルタのインパルス応答時間にわたりこのノイズ推定値を分散させる。この場合、大きいノイズサンプルをＩＩＲパスと並列に（マッチングのための適当な遅延を施すことにより）フィードフォーワードするのが好ましいであろう。ノイズパルスがＩＩＲフィルタの出力と比べて十分大きいシンボルでは、このノイズパルスを用いてそれらのシンボルのノイズ分散推定値を求める必要がある。これらのノイズパルスにフィードフォーワードパスを用いる場合、これらのサンプルについてＩＩＲフィルタへ入るエネルギーは局部ノイズピークがＩＩＲフィルタのスパンにわたって広がらないように減少させる必要がある。ノイズ分散推定値におけるノイズのピークを取り扱うためにこのプロセスの幾つかの変形例を考察するのは容易である。インパルスのようなノイズに配慮してノイズ分散の推定を行う１つのかかる変形例を図５１に示す。図５１において、各基準サンプルの入力がライン５２０上に供給され、加算器２２０において基準サンプルαnに加算される。ノイズ分散サンプルはブロック５２４に示すように推定誤差を減少させるために基準サブキャリアにわたりフィルタリングを施される。その後、ブロック５２６に示すようにフィルタリング済み分散サンプルを用いてノイズ分散を計算する。これによりライン５２８上に分散ｖａｒ０nが生じ（ｖａｒ０n＝ｍｉｎ（２＊ｖａｒＩＩＲn-1＋ε、ｖａｒn））、またライン５３０上にｖａｒｌn が生じる（ｖａｒｌn＝ｍａｘ（０．０５＊ｖａｒn−ｖａｒＩＩＲn-1）。その後、ｖａｒ０n の分散がブロック５３２においてフィルタリングを施され、ｖａｒ１nはブロック５３４に示すように遅延を施される。フィルタリング済みｖａｒ０nと遅延済みｖａｒ１n は加算器５３６で加算されて、ライン５３８上にノイズ分散推定出力を発生させる。フィルタ５３２の出力ｖａｒＩＩＲnはライン５４０においてブロック５２４へフィードバックされる。
【０１９５】
上述したアンテナ切換のための過渡現象検出方法はまたインパルスノイズに対しても効果がある。過渡的ノイズ値がたまたま小さい切換による過渡現象のケースとは異なりインパルスノイズは大きい場合がある。また、時として、切換による過渡現象は検出されないことがあり、この場合αの値にエラー（小さい）が生じるが、その近く（±３シンボル）のところのノイズが増加してインパルスノイズと同じ効果を持つことがある。インパルスのようなノイズのこのようなケースではノイズ分散推定フィルタは多数のシンボル（例えば６４個）にわたってインパルスノイズを平滑化するため、インパルスの瞬間におけるノイズは過小評価されるが±３２個のＯＦＤＭシンボル内のノイズはノイズサンプルが不鮮明になることにより過大評価される。これによるビタビ復号器へ供給される軟シンボルに劣化が生じる。従って、これらのインパルスのようなノイズの場合の性能を改善するためにノイズ分散推定にこの調整を加えることができる。この新しいノイズ分散推定値は長期間のガウスのようなノイズの分散と短期間のインパルスのようなノイズの分散を加算したものよりなる。
【０１９６】
図５１を参照して、ｖａｒ０値は後でノイズ分散推定値を推定するためにＩＩＲフィルタへ加えられる通常のノイズ分散サンプルである。ｖａｒサンプルは通常のガウスのような自乗ノイズサンプル（ｖａｒ０）と、インパルスのような自乗ノイズサンプル（ｖａｒ１）とを表すようにより分けられる。ＩＩＲフィルタは通常のガウスノイズの分散を推定するが、フィルタリングを施されていない遅延パスはインパルスノイズ分散サンプルをフィードフォーワードする。ノイズサンプルｖａｒが現在のＩＩＲフィルタ出力の合理的な範囲内にある時、ｖａｒ０の値はｖａｒに、またｖａｒ１は０にセットされる。ノイズ値が現在のフィルタ出力に比べて異常に大きい時、これは長期フィルタに入力すべきでないインパルスのようなノイズサンプルである可能性が高い。この場合、ｖａｒ０の値は制限され、それと同時に過剰な値の一部が項ｖａｒ１に配置される。ｖａｒ１の値はＩＩＲフィルタ遅延にマッチするように適当な遅延を与えられる。その結果、インパルスノイズサンプルは適当な瞬間において適当に推定され、このノイズは図５２に示すように多数のサンプルにわたって広がらず、インパルスノイズがシンボル６００の周りで捕捉される図４６の結果よりも改善される。
【０１９７】
図５２はノイズ分散の修正が行われる時のノイズ推定値（信号対ノイズ比が２０ｄＢ）に対する切換による過渡現象の影響を示すグラフである。ライン５５０はシンボルのノイズ分散であり、ライン５５２はフィルタリング済み出力である。シンボル位置６００における過渡現象はシンボル６００のすぐ近くの増加したノイズ分散により適当に調整される。
【０１９８】
本発明はまた、大部分がガウスのようなノイズサンプルの中でノイズが幾らかのインパルスのようなサンプルを含む場合がある時シンボルのノイズ分散を推定する方法を提供する。エラーサンプルの自乗の非線形フィルタリング法であり、この非線形フィルタリング法は、コヒーレント基準値と新しいシンボル値との間のエラーサンプルの自乗を計算し、通常のガウスのようなノイズサンプル（自乗済み）がフィルタ（例えばＦＩＲまたはＩＩＲフィルタ）を通される非線形フィルタリング技術を用いることによりガウスのようなノイズの分散を推定し、それと共にインパルスのようなノイズサンプル（自乗済み）がフィルタ出力に加算されて（フィルタ遅延にマッチさせるために適当な遅延を施した後）長期間平均したガウスのようなノイズの分散と短期間のインパルスノイズ分散の和を表す新しいノイズ分散を発生させるステップより成る。
【０１９９】
この方法はさらに、ガウスのような自乗済みノイズサンプルとインパルスのようなノイズサンプルをより分け、そのサンプルをフィルタの現在の平均ノイズ分散推定値の倍数（ステップ状過渡現象に対処するため定数を加えたもの）と比較することにより新しい入力ノイズ（自乗済み）サンプルがそれぞれインパルスのようであるか否かを判定し、その後、この値を長期間のガウスのようなノイズの分散の推定に用いられるフィルタに入力することを含む。
【０２００】
本発明はダイバーシティアンテナブラインド切換装置と共に自律的に使用されるコヒーレントアルゴリズムトラッキングの改良を提供する。これらの同じ改良は隣接するＦＭアナログ干渉波からのような非ガウスノイズまたはインパルスノイズによる劣化を緩和することもできる。
【０２０１】
本発明を幾つかの例により説明した、当業者にとって説明した実施例を頭書の特許請求の範囲に示す本発明の範囲から逸脱することなく種々の形で変形できることが明らかであろう。
【図面の簡単な説明】
【０２０２】
【図１】本発明が適用可能なハイブリッド波形のスペクトルを示す概略図である。
【図２】本発明が適用可能な拡張ハイブリッド波形のスペクトルを表す概略図である。
【図３】本発明が適用可能な全デジタル波形のスペクトルを表す概略図である。
【図４】第１のタイプの周波数区分配列を表す概略図である。
【図５】第２のタイプの周波数区分配列を表す概略図である。
【図６】下側帯波基準サブキャリアのスペクトルマッピングを表す概略図である。
【図７】上側帯波基準サブキャリアのスペクトルマッピングを表す概略図である。
【図８】システム制御処理部を示すブロック図である。
【図９】プライマリ基準サブキャリアのシステム制御データ系列を表す概略図である。
【図１０】差動符号化器のブロック図である。
【図１１】コヒーレント基準／ＣＳＩ機能のハイレベルブロック図である。
【図１２】コヒーレント基準／ＣＳＩ機能の詳細なブロック図である。
【図１３】上方のプライマリ側帯波基準サブキャリアのデータ除去部を表す概略図である。
【図１４】プライマリ側帯波基準サブキャリアの推定部を表す概略図である。
【図１５】セカンダリ側帯波基準サブキャリアの推定部を表す概略図である。
【図１６】プライマリ側帯波ノイズ分散推定部のブロック図である。
【図１７】セカンダリ側帯波ノイズ分散推定部のブロック図である。
【図１８】基準サブキャリアのＣＳＩ重み付けを示すブロック図である。
【図１９】同期信号の重みの発生を示すブロック図である。
【図２０】プライマリ側帯波の基準サブキャリア補間を図解した概略図である。
【図２１】基準サブキャリアの補間を示すブロック図である。
【図２２】一般的なダイバーシティアンテナ切換装置の機能図である。
【図２３】１００シンボル毎に切換られるフェージング信号（ノイズのない）の実数及び虚数成分を示すグラフである。
【図２４】信号対ノイズ比が１０ｄＢでシンボル２００の所の過渡現象の近辺で切換られるフィルタリング済みコヒーレント基準フェージング信号の実数及び虚数成分を示すグラフである。
【図２５】ノイズの推定値（信号対ノイズ比が２０ｄＢ）に対するスイッチの過渡現象の影響を示すグラフである。
【図２６】以前のコヒーレント基準及びノイズ推定部を示すブロック図である。
【図２７】単一の基準サブキャリアのコヒーレント基準推定を行うための１１タップ型ＦＩＲのグラフである。
【図２８】周波数にわたって（基準サブキャリア）使用されるフィルタを示す図である。
【図２９】コヒーレント基準信号の推定誤差の減少に対するフィルタの種類の影響を示すグラフである。
【図３０】コヒーレント基準信号のフィルタリングにつき１１タップ型ＦＩＲフィルタとメディアンフィルタの比較を示すグラフである。
【図３１】基準及び本発明のノイズの推定部を示すブロック図である。
【図３２】ＩＩＲフィルタのインパルス応答を示すグラフである。
【図３３】ＩＩＲフィルタのステップ応答を示すグラフである。
【図３４】ＩＩＲフィルタパラメータａの関数として減少するノイズの推定誤差を示すグラフである。
【図３５】過剰通路を選択する確率及び平均推定ノイズ分散の増加に対する過大な利得値Ｇ*In(2)の影響を示すグラフである。
【図３６】最初の１１タップ型ＦＩＲフィルタ及びａ＝１／１６の最初のＩＩＲノイズ推定フィルタによるノイズの推定値（信号対ノイズ比が１０ｄＢ）に対する切換による過渡現象の影響を示すグラフである。
【図３７】最初の１１タップ型ＦＩＲフィルタ及びａ＝１／８の最初のＩＩＲノイズ推定フィルタによるノイズの推定値（信号対ノイズ比が１０ｄＢ）に対する切換による過渡現象の影響を示すグラフである。
【図３８】ノイズ分散が修正される場合の最初の１１タップ型ＦＩＲフィルタによるノイズの推定値（信号対ノイズ比が１０ｄＢ）に対する切換による過渡現象の影響を示すグラフである。元の１１タップ型ＦＩＲフィルタを用いるノイズの分散値に対する切換による過渡現象の影響を示すグラフである。
【図３９】５タップ型メディアンフィルタ及びａ＝１／８のＩＩＲノイズ推定フィルタによるノイズの推定値（信号対ノイズ比が１０ｄＢ）に対する切換による過渡現象の影響を示すグラフである。
【図４０】ノイズ分散が修正される場合の５タップ型メディアンフィルタによるノイズの推定値（信号対ノイズ比が１０ｄＢ）に対する切換による過渡現象の影響を示すグラフである。
【図４１】ブロックエラーレートのグラフである。
【図４２】ブロックエラーレートのグラフである。
【図４３】本発明に従って信号を処理することができる受信機のブロック図である。
【図４４】図４３の受信機に使用されるチャンネル状態推定方法を示すブロック図である。
【図４５】ノイズの推定値に対する切換による過渡現象の影響を示すグラフである。
【図４６】ノイズの推定値に対する切換による過渡現象の影響を示す別のグラフである。
【図４７】コヒーレントチャンネル基準信号の発生を説明する機能ブロック図である。
【図４８】過渡現象検出アルゴリズムの結果を示すグラフである。
【図４９】過渡現象検出アルゴリズムの結果を示す別のグラフである。
【図５０】過渡現象の近辺におけるコヒーレントチャンネル利得の訂正を示す機能ブロック図である。
【図５１】ノイズ分散推定値の修正を示すブロック図である。
【図５２】ノイズ推定値に対する切換による過渡現象の影響を示すグラフである。
【図１】
2007511980.tif 000040
【図２】
2007511980.tif 000041
【図３】
2007511980.tif 000042
【図４】
2007511980.tif 000043
【図５】
2007511980.tif 000044
【図６】
2007511980.tif 000045
【図７】
2007511980.tif 000046
【図８】
2007511980.tif 000047
【図９】
2007511980.tif 000048
【図１０】
2007511980.tif 000049
【図１１】
2007511980.tif 000050
【図１２】
2007511980.tif 000051
【図１３】
2007511980.tif 000052
【図１４】
2007511980.tif 000053
【図１５】
2007511980.tif 000054
【図１６】
2007511980.tif 000055
【図１７】
2007511980.tif 000056
【図１８】
2007511980.tif 000057
【図１９】
2007511980.tif 000058
【図２０】
2007511980.tif 000059
【図２１】
2007511980.tif 000060
【図２２】
2007511980.tif 000061
【図２３】
2007511980.tif 000062
【図２４】
2007511980.tif 000063
【図２５】
2007511980.tif 000064
【図２６】
2007511980.tif 000065
【図２７】
2007511980.tif 000066
【図２８】
2007511980.tif 000067
【図２９】
2007511980.tif 000068
【図３０】
2007511980.tif 000069
【図３１】
2007511980.tif 000070
【図３２】
2007511980.tif 000071
【図３３】
2007511980.tif 000072
【図３４】
2007511980.tif 000073
【図３５】
2007511980.tif 000074
【図３６】
2007511980.tif 000075
【図３７】
2007511980.tif 000076
【図３８】
2007511980.tif 000077
【図３９】
2007511980.tif 000078
【図４０】
2007511980.tif 000079
【図４１】
2007511980.tif 000080
【図４２】
2007511980.tif 000081
【図４３】
2007511980.tif 000082
【図４４】
2007511980.tif 000083
【図４５】
2007511980.tif 000084
【図４６】
2007511980.tif 000085
【図４７】
2007511980.tif 000086
【図４８】
2007511980.tif 000087
【図４９】
2007511980.tif 000088
【図５０】
2007511980.tif 000089
【図５１】
2007511980.tif 000090
【図５２】
2007511980.tif 000091
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
複数のデジタル変調基準サブキャリアを含むラジオ信号のコヒーレントトラッキング方法であって、
切換によりステップ状過渡現象が発生する複数のアンテナ素子を用いて、基準サブキャリア上で送信されるシンボルを受信し、
基準サブキャリアのシンボルを既知の基準系列共役と結合して複数のサンプルを発生させ、
これらのサンプルにメディアンフィルタリングを施してフィルタリング済みサンプルを発生させ、
複数の基準サブキャリアにわたり各基準サブキャリアのサンプルを平滑化して各サブキャリアのコヒーレント基準信号推定値を発生させるステップより成るコヒーレントラッキング方法。
【請求項２】
複数のサンプル及び各サブキャリアのコヒーレント基準信号推定値を用いてノイズ分散信号を発生させ、
ノイズ分散信号にフィルタリングを施してフィルタリング済みノイズ分散信号を発生させ、
ノイズ分散信号とフィルタリング済みノイズ分散信号との間で選択を行って選択されるノイズ分散信号を決定し、
複数の基準サブキャリアにわたり各基準サブキャリアの選択されたノイズ分散信号を平滑化して各サブキャリアの信号ノイズ分散推定値を発生させるステップをさらに含む請求項１の方法。
【請求項３】
複数のサンプル及び各サブキャリアのコヒーレント基準信号推定値を用いてノイズ分散信号を発生させるステップは、
複数のサンプルからコヒーレント基準信号推定値を減算してノイズサンプルを発生させ、
ノイズサンプルの大きさを自乗してノイズ分散信号を発生させるステップより成る請求項２の方法。
【請求項４】
ノイズ分散信号にフィルタリングを施してフィルタリング済みノイズ分散信号を発生させるステップは、
ノイズ分散信号をメディアンフィルタ及びさらに別のフィルタに順次通すことによりノイズ分散信号を周波数にわたって平滑化するステップをさらに含む請求項２の方法。
【請求項５】
さらに別のフィルタは無限インパルス応答フィルタまたは有限インパルス応答フィルタより成る請求項４の方法。
【請求項６】
ノイズ分散信号とフィルタリング済みノイズ分散信号との間で選択を行うステップの前にノイズ分散信号をスケーリングして選択されるノイズ分散信号を決定するステップをさらに含む請求項２の方法。
【請求項７】
複数のデジタル変調サブキャリアを含むラジオ信号をコヒーレントトラッキングする受信機であって、
切換によりステップ状過渡現象が発生する、ラジオ信号を受信する複数のアンテナ素子と、
ラジオ信号を受信する入力と、
ラジオ信号のコヒーレントトラッキングを、基準サブキャリア上で送信されるシンボルを受信し、基準サブキャリアシンボルを既知の基準系列共役と結合して複数のサンプルを発生させ、サンプルにメディアンフィルタリングを施してフィルタリング済みサンプルを発生させ、複数の基準サブキャリアにわたり各基準サブキャリアのサンプルを平滑化して各サブキャリアのコヒーレント基準信号推定値を発生させることにより行うプロセッサとより成る受信機。
【請求項８】
プロセッサはさらに、複数のサンプル及び各サブキャリアのコヒーレント基準信号推定値を用いてノイズ分散信号を発生させ、ノイズ分散信号にフィルタリングを施してフィルタリング済みノイズ分散信号を発生させ、ノイズ分散信号とフィルタリング済みノイズ分散信号との間で選択を行って選択されるノイズ分散信号を決定し、複数の基準サブキャリアにわたり各基準サブキャリアの選択されたノイズ分散信号を平滑化して各サブキャリアの信号ノイズ分散推定値を発生させる請求項７の受信機。
【請求項９】
プロセッサはさらに、複数のサンプルからコヒーレント基準信号推定値を減算してノイズサンプルを発生させ、ノイズサンプルの大きさを自乗してノイズ分散信号を発生させる請求項８の受信機。
【請求項１０】
プロセッサはさらに、ノイズ分散信号をメディアンフィルタ及びさらに別のフィルタに順次通す請求項８の受信機。
【請求項１１】
さらに別のフィルタは無限インパルス応答フィルタまたは有限インパルス応答フィルタより成る請求項１０の受信機。
【請求項１２】
プロセッサは、ノイズ分散信号とフィルタリング済みノイズ分散信号との間で選択を行うステップの前にノイズ分散信号をスケーリングして選択されるノイズ分散信号を決定する請求項８の受信機。
【請求項１３】
少なくともデジタル変調基準キャリアを含むラジオ信号のコヒーレントトラッキング方法であって、
切換によりステップ状過渡現象が発生する複数のアンテナ素子を用いてラジオ信号を受信し、
基準キャリアを復調して複素コヒーレント基準利得を発生させ、
複素コヒーレント基準利得に影響を与える過渡現象を検出し、
複素コヒーレント基準利得にフィルタリングを施して平滑化された複素コヒーレント基準利得を発生させ、
平滑化された複素コヒーレント基準利得を過渡現象に最も近い複素コヒーレント基準利得の値を無視するように処理し、過渡現象に最も近い複素コヒーレント基準利得の値をフィルタにより影響を受けない複素コヒーレント基準利得に最も近い値に置き換えるステップより成るラジオ信号のコヒーレントトラッキング方法。
【請求項１４】
ラジオ信号は複数の基準サブキャリアを有し、過渡現象の近くの複素コヒーレント基準利得は各基準サブキャリアについて調整される請求項１３の方法。
【請求項１５】
複素コヒーレント基準利得に影響を与える過渡現象を検出するステップは、
複数の基準サブキャリアの複素コヒーレント基準利得を処理し、
複素コヒーレント基準利得を全ての基準サブキャリアにわたり集合させて各ＯＦＤＭシンボルにつき１つの複合コヒーレントチャンネル基準信号を発生させるステップより成る請求項１３の方法。
【請求項１６】
複素コヒーレント基準利得に影響を与える過渡現象を検出するステップは、
複数の複合コヒーレントチャンネル基準信号の差の大きさを算定し、
その大きさが局所的なピークであるか否か判定し、
その大きさが局所的なピークであればその大きさを差の大きさの和により逆スケーリングするステップより成る請求項１３の方法。
【請求項１７】
複素コヒーレント基準利得に影響を与える過渡現象を検出するステップは、
複素コヒーレント基準利得からサンプル系列ｘnを計算し、
サンプルｘn＋１とｘn−１の間の差（diffsqn）の自乗を計算し、
（diffsqn＞＝diffsqn−１）または（diffsqn＞＝diffsqn＋１）であればピーク検出変数を１に等しい値に設定し、そうでなければ０に設定し、
diffsqn／|ｘn＋１|2+|ｘn−１|2が所定のしきい値より大きければ過渡現象の存在を指示するステップより成る請求項１３の方法。
【請求項１８】
複素コヒーレント基準利得を処理するステップは、
過渡現象が検出された所のシンボルを含む過渡現象に近い複素コヒーレント基準利得の値（α）を無視し、
無視されたαの値をα推定に用いるフィルタによる影響を受けないαの最も近い値で置き換えるステップより成る請求項１３の方法。
【請求項１９】
複素コヒーレント基準利得を処理するステップは、
複素コヒーレント基準利得の毀損された値（α）が現在のシンボルの前方の３シンボル内で検出されると、αの現在値を用いる代わりに過渡現象の前方４個目のシンボルのαの値（αn−４）を用い、
複素コヒーレント基準利得の毀損された値（α）が以前の３シンボル内で検出されると、αの現在値を用いる代わりに過渡現象の後方４個目のシンボルのαの値（αn＋４）を用い、
複素コヒーレント基準利得の毀損された値（α）が現在検出されたシンボルの位置にあれば、過渡現象の両側の±４個目のシンボルのサンプルのαの平均値（αn−４+αn＋４/2）を用い、
複素コヒーレント基準利得の毀損された値（α）が検出されなければ,αの現在入力値を用いるステップより成る請求項１３の方法。
【請求項２０】
少なくとも１つのデジタル変調キャリアを含むラジオ信号をコヒーレントトラッキングする受信機であって、
ラジオ信号を受信する入力と、
入力に結合され、切換によりステップ状過渡現象が発生する、ラジオ信号を受信する複数のアンテナ素子と、
基準キャリアを復調して複素コヒーレント基準利得を発生させ、複素コヒーレント基準利得に影響を与える過渡現象を検出し、過渡現象の近くの複素コヒーレント基準利得を調整して調整済み複素コヒーレント基準利得を発生させるプロセッサとより成る受信機。
【請求項２１】
プロセッサは過渡現象の近くの複素コヒーレント基準利得の代わりに以前のまたは将来の複素コヒーレント基準利得を用いる請求項２０の受信機。
【請求項２２】
プロセッサは、複素コヒーレント基準利得にフィルタリングを施して平滑化された複素コヒーレント基準利得を発生させ、平滑化された複素コヒーレント基準利得を過渡現象に最も近い複素コヒーレント基準利得の値を無視するように処理し、過渡現象に最も近い複素コヒーレント基準利得の値をフィルタにより影響を受けない複素コヒーレント基準利得に最も近い値に置き換える請求項２０の受信機。
【請求項２３】
ラジオ信号は複数の基準サブキャリアを有し、過渡現象の近くの複素コヒーレント基準利得は各基準サブキャリアについて調整される請求項２０の受信機。
【請求項２４】
プロセッサは、複数の基準サブキャリアの複素コヒーレント基準利得を処理し、複素コヒーレント基準利得を全ての基準サブキャリアにわたり集合させて各ＯＦＤＭシンボルにつき１つの複合コヒーレントチャンネル基準信号を発生させる請求項２０の受信機。
【請求項２５】
プロセッサは、複数の複合コヒーレントチャンネル基準信号の差の大きさを算定し、その大きさが局所的なピークであるか否か判定し、その大きさが局所的なピークであればその大きさを差の大きさの和により逆スケーリングする請求項２０の受信機。
【請求項２６】
プロセッサは、複素コヒーレント基準利得からサンプル系列ｘnを計算し、サンプルｘn＋１とｘn−１の間の差（diffsqn）の自乗を計算し、（diffsqn＞＝diffsqn−１）または（diffsqn＞＝diffsqn＋１）であればピーク検出変数を１に等しい値に設定し、そうでなければ０に設定し、diffsqn／|ｘn＋１|2+|ｘn−１|2が所定のしきい値より大きければ過渡現象の存在を指示する請求項２０の受信機。
【請求項２７】
プロセッサは、過渡現象が検出された所のシンボルを含む過渡現象に近い複素コヒーレント基準利得の値を無視し、無視されたαの値をα推定に用いるフィルタによる影響を受けないαの最も近い値で置き換える請求項２０の受信機。
【請求項２８】
複素コヒーレント基準利得の毀損された値（α）が現在のシンボルの前方の３シンボル内で検出されると、αの現在値を用いる代わりに過渡現象の前方４個目のシンボルのαの値（αn−４）を用い、
複素コヒーレント基準利得の毀損された値（α）が以前の３シンボル内で検出されると、αの現在値を用いる代わりに過渡現象の後方４個目のシンボルのαの値（αn＋４）を用い、
複素コヒーレント基準利得の毀損された値（α）が現在検出されたシンボルの位置にあれば、過渡現象の両側の±４個目のシンボルのサンプルのαの平均値（αn−４+αn＋４/2）を用い、
複素コヒーレント基準利得の毀損された値（α）が検出されなければ,αの現在入力値を用いる請求項２０の受信機。
【請求項２９】
少なくとも１つのデジタル変調基準キャリアを含むラジオ信号をコヒーレントトラッキングする受信機であって、
ラジオ信号を受信する入力と、
入力に結合され、切換によりステップ状過渡現象が発生する、ラジオ信号を受信する複数のアンテナ素子と、
基準キャリアを復調して複素コヒーレント基準利得を発生させ、複素コヒーレント基準利得に影響を与える過渡現象を検出し、過渡現象の近くの複素コヒーレント基準利得を調整して調整済み複素コヒーレント基準利得を発生させる手段とより成る受信機。
【請求項３０】
ノイズがガウスのようなノイズサンプルの間にインパルスのようなサンプルを含むことがある時ラジオ信号中のシンボルのノイズ分散を推定する方法であって、
入力サンプルとコヒーレント基準サンプルを加算してエラーサンプルを発生させ、
エラーサンプルの自乗を計算し、
ガウスのようなノイズサンプルの自乗とインパルスノイズのサンプルの自乗を分離し、
エラーサンプルの自乗に非線形フィルタリングを施して長期間平均したガウスのようなノイズの分散と短期インパルスノイズの分散の和を表すノイズ分散推定値を発生させるステップより成る推定方法。
【請求項３１】
各ノイズサンプル自乗値を現在の平均ノイズ分散推定値の倍数と比較することにより各ノイズサンプルの自乗がインパルスのようであるか否かを判定し、
ノイズサンプルの自乗がインパルスのようでないと判定されると、ノイズサンプルの自乗を長期間平均したガウスのようなノイズの分散を推定するために使用するフィルタに入力し、
ノイズサンプルがインパルスのようであると判定されれば、フィルタへのノイズサンプルの自乗を減少させて長期間のガウスのようなノイズの分散推定値の過大評価を防止するステップを含む請求項３０の方法。
【請求項３２】
減少したノイズサンプルの自乗の一部を含む過大なノイズ値を発生させ、
過大なノイズ値をガウスのようなノイズの分散推定値に加算して長期間平均したガウスのようなノイズの分散と短期インパルスノイズの分散の和を表す複合ノイズ分散を発生させるステップを含む請求項３０の方法。
【国際調査報告】
2007511980.tif 000092
2007511980.tif 000093
2007511980.tif 000094